(57)【要約】【課題】  遊技場の係員が迅速に不正に対する対応が可能な遊技場監視システム及び当該監視システムにより監視される遊技機を提供する。【解決手段】  パチンコ機１に異常が発生し、島管理装置１００へエラー情報が送信された際には、島管理装置１００が係員カード５１０の認証タグ５１１を探索することにより、係員の存在を探索し、その係員の所持する携帯電話へ異常発生の電子メールを送信して、報知を行う。また、異常の発生したパチンコ機１が設置されている遊技島２００の島管理装置１００の周囲に係員がいなかった場合であっても、その２つ隣までの島管理装置１００へ依頼情報を送信することにより、近くにいる係員を探索する。また、２つ隣までの島管理装置１００の周囲に係員がいない場合には、予め登録されている電子メールアドレス宛てに報知の電子メールが送信される。【選択図】  図１
2006288455.tif 000002
【特許請求の範囲】
【請求項１】
遊技場内の遊技島に設置された遊技機を監視するために、固有の識別情報を記憶した監視タグと、監視制御装置に接続された監視アンテナとが、所定の位置に通信可能に設置され、ＲＦＩＤ通信を繰り返して通信状態の監視を行い、所定の状態となった場合には異常と判断する監視制御装置を備えた遊技場監視システムであって、
係員が遊技場内で所持する携帯情報端末と、
固有の識別情報を記憶したＩＣタグであり、係員が遊技場内で所持する認証タグと、
前記認証タグとＲＦＩＤ通信を行うためのアンテナである探索アンテナと、
当該探索アンテナを介して前記認証タグとＲＦＩＤ通信を行う認証タグ通信手段と、
前記認証タグに対応して、当該認証タグを所持する係員が所持する前記携帯情報端末の連絡先を記憶する連絡先記憶手段と、
前記認証タグ通信手段によりＲＦＩＤ通信を行い、前記探索アンテナから所定距離内に存在する前記認証タグを探索する探索手段と、
前記監視制御装置において異常と判断された場合には、前記探索手段により前記探索アンテナから所定距離内に存在する前記認証タグを探索する第１探索制御手段と、
前記認証タグに対応して前記連絡先記憶手段に記憶されている連絡先へ異常の発生を報知する報知手段と、
前記第１探索制御手段の制御による前記探索手段での探索により探索された前記認証タグに対して前記報知手段により異常の発生を報知する第１報知制御手段と
を備えたことを特徴とする遊技場監視システム。
【請求項２】
前記認証タグに対する優先順位を記憶した優先順位記憶手段を備え、
前記第１報知制御手段は、前記探索手段により複数の前記認証タグが探索された場合には、前記優先順位記憶手段に記憶されている優先順位に基づいて、最も優先順位の高い認証タグの連絡先に前記報知手段により報知することを特徴とする請求項１に記載の遊技場監視システム。
【請求項３】
前記携帯情報端末は、
インターネット又は遊技場内のローカルエリアネットワークに無線通信により接続するネットワーク接続手段と、
前記ネットワーク接続手段により前記インターネット又は前記ローカルエリアネットワークを介して電子メールを受信する電子メール受信手段とを備え、
前記連絡先は当該携帯情報端末の電子メールアドレスであり、
前記報知手段は、前記電子メールアドレス宛ての電子メールを作成、送信して報知を行うことを特徴とする請求項１又は２に記載の遊技場監視システム。
【請求項４】
前記携帯情報端末は、
携帯電話用通信網に接続して通話する通話手段を備え、
前記連絡先は当該携帯情報端末の電話番号であり、
前記報知手段は、前記電話番号宛に電話をかけ、異常の発生を伝える音声データを流すことにより報知を行うことを特徴とする請求項１又は２に記載の遊技場監視システム。
【請求項５】
遊技島毎に設置され、当該遊技島に設置されている前記監視制御装置と接続した島管理装置を備え、
当該島管理装置は、
前記探索アンテナ、前記認証タグ通信手段、前記連絡先記憶手段、前記探索手段、前記第１探索制御手段、前記報知手段、前記第１報知制御手段、前記優先順位記憶手段を備えていることを特徴とする請求項１乃至４のいずれかに記載の遊技場監視システム。
【請求項６】
前記遊技場には複数の遊技島が設置されており、当該遊技島毎に前記島管理装置が設置され、当該島管理装置同士が遊技場内のローカルエリアネットワークを介して接続している遊技場監視システムにおいて、
前記島管理装置は、
他の前記島管理装置に対して、その島管理装置の前記探索アンテナから所定距離内に存在する前記認証タグを探索する依頼を行う依頼情報を送信する依頼情報送信手段と、
他の前記島管理装置から送信された前記依頼情報を受信する依頼情報受信手段と、
他の前記島管理装置に対して、自分からの距離に関する距離情報を記憶した距離情報記憶手段と、
当該距離情報記憶手段に記憶されている距離情報に基づいて選択された前記島管理装置へ前記依頼情報を送信する依頼情報送信制御手段と、
前記依頼情報受信手段において前記依頼情報を受信した場合には、前記探索アンテナから所定距離内に存在する前記認証タグを前記探索手段により探索する第２探索制御手段と
を備えたことを特徴とする請求項５に記載の遊技場監視システム。
【請求項７】
前記依頼情報送信制御手段は、自分に隣接している前記島管理装置へ前記依頼情報を送信することを特徴とする請求項６に記載の遊技場監視システム。
【請求項８】
前記島管理装置は、
前記第２探索制御手段の制御により前記探索手段によって前記認証タグを探索した場合に、探索された前記認証タグに対応して前記連絡先記憶手段に記憶されている連絡先へ、前記報知手段により異常の発生を報知する第２報知制御手段を備えたことを特徴とする請求項６又は７に記載の遊技場監視システム。
【請求項９】
前記島管理装置の前記第２報知制御手段は、前記報知手段による異常の発生の報知を行った際に、前記依頼情報の送信元の前記島管理装置に報知を行った旨を示す報知済情報を送信することを特徴とする請求項８に記載の遊技場監視システム。
【請求項１０】
前記島管理装置は、
前記第２探索制御手段の制御により前記探索手段によって前記認証タグを探索した場合に、探索された前記認証タグを示す情報又は探索された前記認証タグに対応して前記連絡先記憶手段に記憶されている連絡先を示す情報である応答情報を前記依頼情報の送信元の前記島管理装置へ送信する応答情報送信手段と、
他の前記島管理装置の前記応答情報送信手段から送信された前記応答情報を受信する応答情報受信手段と、
当該応答情報受信手段により前記応答情報を受信した際には、前記応答情報に示されている前記認証タグに対応して前記連絡先記憶手段に記憶されている連絡先、又は、前記応答情報に示されている連絡先へ、前記報知手段により異常の発生を報知する第３報知制御手段と
を備えたことを特徴とする請求項６又は７に記載の遊技場監視システム。
【請求項１１】
前記島管理装置は、
前記第２報知制御手段が送信した前記報知済情報を受信する報知済情報受信手段と、
前記依頼情報送信手段により前記依頼情報を送信してから所定時間経過した際に、前記報知済情報受信手段が前記報知済情報を受信していない場合には、前記距離情報記憶手段に記憶されている前記距離情報に基づいて、まだ前記依頼情報を送信していない前記島管理装置のうちで最も距離の近い前記島管理装置へ前記依頼情報を送信する第１継続依頼情報送信手段と
を備えたことを特徴とする請求項９に記載の遊技場監視システム。
【請求項１２】
前記島管理装置は、
前記第２探索制御手段の制御により前記探索手段によって前記認証タグを探索できなかった場合に、前記距離情報記憶手段に記憶されている距離情報に基づいて、前記依頼情報の送信元の前記島管理装置を除く最も距離の近い前記島管理装置へ前記依頼情報を送信する第２継続依頼情報送信手段を備えたことを特徴とする請求項６乃至１０のいずれかに記載の遊技場監視システム。
【請求項１３】
前記依頼情報には、前記第２探索制御手段の制御により前記探索手段によって前記認証タグを探索できなかった場合に、継続して前記依頼情報を送信する前記島管理装置を特定する継続端末情報が含まれており、
前記島管理装置は、
前記第２探索制御手段の制御により前記探索手段によって前記認証タグを探索できなかった場合には、前記依頼情報に含まれている前記継続情報により特定される前記島管理装置へ前記依頼情報を送信する第３継続依頼情報送信手段を備えたことを特徴とする請求項６乃至１０のいずれかに記載の遊技場監視システム。
【請求項１４】
前記島管理装置は、
前記第２探索制御手段の制御により前記探索手段によって前記認証タグを探索できなかった場合に、前記認証タグを探索できなかった旨の探索不能情報を前記依頼情報の送信元の前記島管理装置へ送信する探索不能情報送信手段と、
他の前記島管理装置の前記探索不能情報送信手段から送信された前記探索不能情報を受信する探索不能情報受信手段と、
当該探索不能情報受信手段により前記探索不能情報を受信した際には、前記距離情報記憶手段に記憶されている前記距離情報に基づいて、まだ前記依頼情報を送信していない前記島管理装置のうちで最も距離の近い前記島管理装置へ前記依頼情報を送信する第４継続依頼情報送信手段と
を備えたことを特徴とする請求項６乃至１０のいずれかに記載の遊技場監視システム。
【請求項１５】
前記島管理装置は、
前記認証タグが存在しなかった場合の連絡先を記憶する不在時連絡先記憶手段と、
前記第１探索制御手段において前記探索手段による探索で前記認証タグが１つも探索されなかった場合、又は、前記依頼情報送信手段により前記依頼情報を送信してから所定時間経過した際に前記報知済情報受信手段が前記報知済情報を受信していない際、若しくは、前記探索不能情報受信手段が前記探索不能情報を受信した際に前記依頼情報を送信すべき前記島管理装置が存在しない場合に、前記不在時連絡先記憶手段に記憶されている連絡先に報知する第４報知制御手段と
を備えたことを特徴とする請求項６乃至１４のいずれかに記載の遊技場監視システム。
【請求項１６】
請求項１乃至１５に記載の遊技場監視システムによって監視される遊技機。
【発明の詳細な説明】
【技術分野】
【０００１】
本発明は遊技場監視システム及び当該遊技場監視システムによって監視される遊技機に関し、詳細には、遊技場監視システムにおける不正発生の報知に関する。
【背景技術】
【０００２】
従来、遊技機においては、遊技者が不当に遊技媒体を獲得する不正行為が後を絶たず、種々の防止策が施されている。例えば、遊技機の制御を司る制御基板や内蔵ＲＯＭを不正なものに交換して遊技状況を有利にする不正行為に対しては、制御基板を収納する基板ボックスに様々な工夫が施されている。また、遊技機の一種であるパチンコ機においては、遊技領域を覆う前面扉の隙間からセルロイド板等の薄い板を挿入して多数の遊技媒体を取得可能な入賞口を不当に開放し、その間に遊技媒体をその入賞口へ入賞させるという不正行為もあり、前面扉からの不正部材の挿入を防止するための様々な工夫が施されている。
【０００３】
そこで、ＩＣタグを用いて遊技機に対する不正行為を監視するシステムが提案されている（例えば、特許文献１参照）。このような監視システムにおいては、遊技機の所定の位置にＩＣタグが貼り付けられ、ＩＣタグ監視装置によりこれらのＩＣタグを呼び出す呼出波が送信され、予め登録されている識別データのＩＣタグから呼出波に対する反射波が返送された場合には、監視されている部材が正常であるとされ、反射波が返送されなかったり、予め登録されていない識別データのＩＣタグからの反射波を受信したりした場合には、監視場所に異常があるとして異常を示す情報がＩＣタグ監視装置に記憶されている。そして、特許文献１では、異常が発生した際には、遊技機が設置されている遊技島に備えられた管理機の警告ランプを点灯させて、遊技場の係員に対して報知を行っている。
【０００４】
また、特許文献２に記載の発明の遊技場管理システムでは、磁石などによる不正行為を検出した際に、予め記憶されている外部の連絡先（警察や他の遊技店の電話やファクシミリ）へ通報を行っている。また、特許文献３に記載の遊技システム及び遊技機管理装置ならびにその動作プログラムでは、遊技場において不正者を発見した人物がパチンコ機の情報提供ボタンを操作すると、遊技場管理装置において大当たり回数を精査することにより不正の発生を判断し、不正が検出された場合には、予め設定されている係員所持の携帯端末装置の電子メールアドレスに不正発生のメッセージを記述した電子メールを送信している。
【特許文献１】特開２００２−２３２１９３号公報
【特許文献２】特許３４６８５２５号公報
【特許文献３】特開２００２−３６０９０１号公報
【発明の開示】
【発明が解決しようとする課題】
【０００５】
しかしながら、特許文献１に記載されている監視システムでは、遊技島に備えられている管理機の警告ランプを点灯させるため、係員だけでなく遊技場の他の遊技者に対しても不正の発生を報知してしまい、遊技者の不要な関心を煽ってしまうという問題点がある。また、特許文献２に記載されているような遊技場管理システムでは、不正者が不正行為をやめてしまえば、警察や他店など外部から警察官や担当者が駆けつけても不正の証拠は掴めず、外部に連絡しても迅速な対応ができないという問題点がある。また、特許文献３に記載されているような遊技システムにおいては、周囲の遊技者により不正が発見されて情報提供ボタンが操作されなければ不正が発見できないという問題点がある。また、予め設定されている電子メールアドレスの携帯端末装置を所有する係員が遊技場内にいなければ、迅速な対応ができないという問題点がある。
【０００６】
本発明は、上記課題を解決するためになされたものであり、遊技場の係員が迅速に不正に対する対応が可能な遊技場監視システム及び当該監視システムにより監視される遊技機を提供することを目的とする。
【課題を解決するための手段】
【０００７】
上記課題を解決するため、請求項１に係る発明の遊技場監視システムでは、遊技場内の遊技島に設置された遊技機を監視するために、固有の識別情報を記憶した監視タグと、監視制御装置に接続された監視アンテナとが、所定の位置に通信可能に設置され、ＲＦＩＤ通信を繰り返して通信状態の監視を行い、所定の状態となった場合には異常と判断する監視制御装置を備えた遊技場監視システムであって、係員が遊技場内で所持する携帯情報端末と、固有の識別情報を記憶したＩＣタグであり、係員が遊技場内で所持する認証タグと、前記認証タグとＲＦＩＤ通信を行うためのアンテナである探索アンテナと、当該探索アンテナを介して前記認証タグとＲＦＩＤ通信を行う認証タグ通信手段と、前記認証タグに対応して、当該認証タグを所持する係員が所持する前記携帯情報端末の連絡先を記憶する連絡先記憶手段と、前記認証タグ通信手段によりＲＦＩＤ通信を行い、前記探索アンテナから所定距離内に存在する前記認証タグを探索する探索手段と、前記監視制御装置において異常と判断された場合には、前記探索手段により前記探索アンテナから所定距離内に存在する前記認証タグを探索する第１探索制御手段と、前記認証タグに対応して前記連絡先記憶手段に記憶されている連絡先へ異常の発生を報知する報知手段と、前記第１探索制御手段の制御による前記探索手段での探索により探索された前記認証タグに対して前記報知手段により異常の発生を報知する第１報知制御手段とを備えている。
【０００８】
また、請求項２に係る発明の遊技場監視システムでは、請求項１に記載の発明の構成に加えて、前記認証タグに対する優先順位を記憶した優先順位記憶手段を備え、前記第１報知制御手段は、前記探索手段により複数の前記認証タグが探索された場合には、前記優先順位記憶手段に記憶されている優先順位に基づいて、最も優先順位の高い認証タグの連絡先に前記報知手段により報知することを特徴とする構成となっている。
【０００９】
また、請求項３に係る発明の遊技場監視システムでは、請求項１又は２に記載の発明の構成に加えて、前記携帯情報端末は、インターネット又は遊技場内のローカルエリアネットワークに無線通信により接続するネットワーク接続手段と、前記ネットワーク接続手段により前記インターネット又は前記ローカルエリアネットワークを介して電子メールを受信する電子メール受信手段とを備え、前記連絡先は当該携帯情報端末の電子メールアドレスであり、前記報知手段は、前記電子メールアドレス宛ての電子メールを作成、送信して報知を行うことを特徴とする構成となっている。
【００１０】
また、請求項４に係る発明の遊技場監視システムでは、請求項１又は２に記載の発明の構成に加えて、前記携帯情報端末は、携帯電話用通信網に接続して通話する通話手段を備え、前記連絡先は当該携帯情報端末の電話番号であり、前記報知手段は、前記電話番号宛に電話をかけ、異常の発生を伝える音声データを流すことにより報知を行うことを特徴とする構成となっている。
【００１１】
また、請求項５に係る発明の遊技場監視システムでは、請求項１乃至４のいずれかに記載の発明の構成に加えて、遊技島毎に設置され、当該遊技島に設置されている前記監視制御装置と接続した島管理装置を備え、当該島管理装置は、前記探索アンテナ、前記認証タグ通信手段、前記連絡先記憶手段、前記探索手段、前記第１探索制御手段、前記報知手段、前記第１報知制御手段、前記優先順位記憶手段を備えている。
【００１２】
また、請求項６に係る発明の遊技場監視システムでは、請求項５に記載の発明の構成に加えて、前記遊技場には複数の遊技島が設置されており、当該遊技島毎に前記島管理装置が設置され、当該島管理装置同士が遊技場内のローカルエリアネットワークを介して接続している遊技場監視システムにおいて、前記島管理装置は、他の前記島管理装置に対して、その島管理装置の前記探索アンテナから所定距離内に存在する前記認証タグを探索する依頼を行う依頼情報を送信する依頼情報送信手段と、他の前記島管理装置から送信された前記依頼情報を受信する依頼情報受信手段と、他の前記島管理装置に対して、自分からの距離に関する距離情報を記憶した距離情報記憶手段と、当該距離情報記憶手段に記憶されている距離情報に基づいて選択された前記島管理装置へ前記依頼情報を送信する依頼情報送信制御手段と、前記依頼情報受信手段において前記依頼情報を受信した場合には、前記探索アンテナから所定距離内に存在する前記認証タグを前記探索手段により探索する第２探索制御手段とを備えたことを特徴とする構成となっている。
【００１３】
また、請求項７に係る発明の遊技場監視システムでは、請求項６に記載の発明の構成に加えて、前記依頼情報送信制御手段は、自分に隣接している前記島管理装置へ前記依頼情報を送信することを特徴とする構成となっている。
【００１４】
また、請求項８に係る発明の遊技場監視システムでは、請求項６又は７に記載の発明の構成に加えて、前記島管理装置は、前記第２探索制御手段の制御により前記探索手段によって前記認証タグを探索した場合に、探索された前記認証タグに対応して前記連絡先記憶手段に記憶されている連絡先へ、前記報知手段により異常の発生を報知する第２報知制御手段を備えたことを特徴とする構成となっている。
【００１５】
また、請求項９に係る発明の遊技場監視システムでは、請求項８に記載の発明の構成に加えて、前記島管理装置の前記第２報知制御手段は、前記報知手段による異常の発生の報知を行った際に、前記依頼情報の送信元の前記島管理装置に報知を行った旨を示す報知済情報を送信することを特徴とする構成となっている。
【００１６】
また、請求項１０に係る発明の遊技場監視システムでは、請求項６又は７に記載の発明の構成に加えて、前記島管理装置は、前記第２探索制御手段の制御により前記探索手段によって前記認証タグを探索した場合に、探索された前記認証タグを示す情報又は探索された前記認証タグに対応して前記連絡先記憶手段に記憶されている連絡先を示す情報である応答情報を前記依頼情報の送信元の前記島管理装置へ送信する応答情報送信手段と、他の前記島管理装置の前記応答情報送信手段から送信された前記応答情報を受信する応答情報受信手段と、当該応答情報受信手段により前記応答情報を受信した際には、前記応答情報に示されている前記認証タグに対応して前記連絡先記憶手段に記憶されている連絡先、又は、前記応答情報に示されている連絡先へ、前記報知手段により異常の発生を報知する第３報知制御手段とを備えたことを特徴とする構成となっている。
【００１７】
また、請求項１１に係る発明の遊技場監視システムでは、請求項９に記載の発明の構成に加えて、前記島管理装置は、前記第２報知制御手段が送信した前記報知済情報を受信する報知済情報受信手段と、前記依頼情報送信手段により前記依頼情報を送信してから所定時間経過した際に、前記報知済情報受信手段が前記報知済情報を受信していない場合には、前記距離情報記憶手段に記憶されている前記距離情報に基づいて、まだ前記依頼情報を送信していない前記島管理装置のうちで最も距離の近い前記島管理装置へ前記依頼情報を送信する第１継続依頼情報送信手段とを備えたことを特徴とする構成となっている。
【００１８】
また、請求項１２に係る発明の遊技場監視システムでは、請求項６乃至１０のいずれかに記載の発明の構成に加えて、前記島管理装置は、前記第２探索制御手段の制御により前記探索手段によって前記認証タグを探索できなかった場合に、前記距離情報記憶手段に記憶されている距離情報に基づいて、前記依頼情報の送信元の前記島管理装置を除く最も距離の近い前記島管理装置へ前記依頼情報を送信する第２継続依頼情報送信手段を備えたことを特徴とする構成となっている。
【００１９】
また、請求項１３に係る発明の遊技場監視システムでは、請求項６乃至１０のいずれかに記載の発明の構成に加えて、前記依頼情報には、前記第２探索制御手段の制御により前記探索手段によって前記認証タグを探索できなかった場合に、継続して前記依頼情報を送信する前記島管理装置を特定する継続端末情報が含まれており、前記島管理装置は、前記第２探索制御手段の制御により前記探索手段によって前記認証タグを探索できなかった場合には、前記依頼情報に含まれている前記継続情報により特定される前記島管理装置へ前記依頼情報を送信する第３継続依頼情報送信手段を備えたことを特徴とする構成となっている。
【００２０】
また、請求項１４に係る発明の遊技場監視システムでは、請求項６乃至１０のいずれかに記載の発明の構成に加えて、前記島管理装置は、前記第２探索制御手段の制御により前記探索手段によって前記認証タグを探索できなかった場合に、前記認証タグを探索できなかった旨の探索不能情報を前記依頼情報の送信元の前記島管理装置へ送信する探索不能情報送信手段と、他の前記島管理装置の前記探索不能情報送信手段から送信された前記探索不能情報を受信する探索不能情報受信手段と、当該探索不能情報受信手段により前記探索不能情報を受信した際には、前記距離情報記憶手段に記憶されている前記距離情報に基づいて、まだ前記依頼情報を送信していない前記島管理装置のうちで最も距離の近い前記島管理装置へ前記依頼情報を送信する第４継続依頼情報送信手段とを備えたことを特徴とする構成となっている。
【００２１】
また、請求項１５に係る発明の遊技場監視システムでは、請求項６乃至１４のいずれかに記載の発明の構成に加えて、前記島管理装置は、前記認証タグが存在しなかった場合の連絡先を記憶する不在時連絡先記憶手段と、前記第１探索制御手段において前記探索手段による探索で前記認証タグが１つも探索されなかった場合、又は、前記依頼情報送信手段により前記依頼情報を送信してから所定時間経過した際に前記応答情報受信手段が前記応答情報を受信していない際、若しくは、前記探索不能情報受信手段が前記探索不能情報を受信した際に前記依頼情報を送信すべき前記島管理装置が存在しない場合に、前記不在時連絡先記憶手段に記憶されている連絡先に報知する第４報知制御手段とを備えたことを特徴とする構成となっている。
【００２２】
また、請求項１６に係る発明の遊技機は、請求項１乃至１５に記載の遊技場監視システムによって監視される。
【発明の効果】
【００２３】
請求項１に係る発明の遊技場監視システムでは、認証タグ通信手段は、探索アンテナを介して認証タグとＲＦＩＤ通信を行い、連絡先記憶手段は、認証タグに対応して、認証タグを所持する係員が所持する携帯情報端末の連絡先を記憶し、探索手段は、認証タグ通信手段によりＲＦＩＤ通信を行い、探索アンテナから所定距離内に存在する認証タグを探索し、第１探索制御手段は、監視制御装置において異常と判断された場合には、探索手段により探索アンテナから所定距離内に存在する認証タグを探索し、報知手段は、認証タグに対応して連絡先記憶手段に記憶されている連絡先へ異常の発生を報知し、第１報知制御手段は、第１探索制御手段の制御による探索手段での探索により探索された認証タグに対して報知手段により異常の発生を報知することができる。したがって、探索された認証タグを所持する係員の携帯情報端末に報知を行うことができるので、探索アンテナを遊技島の近隣に設置しておけば、異常の発生した遊技島の近くにいる係員に対して報知を行うことができるので、迅速な対応をすることができる。
【００２４】
また、請求項２に係る発明の遊技場監視システムでは、請求項１に記載の発明の効果に加えて、優先順位記憶手段は、認証タグに対する優先順位を記憶し、第１報知制御手段は、探索手段により複数の認証タグが探索された場合には、優先順位記憶手段に記憶されている優先順位に基づいて、最も優先順位の高い認証タグの連絡先に報知手段により報知することができる。したがって、複数の係員が遊技島の近くにいた場合でも最も優先順位の高い係員に報知することができるので、例えば、異常発生への対処を行う担当の係員の優先順位を高くしておけば、その係員に報知されることになる。
【００２５】
また、請求項３に係る発明の遊技場監視システムでは、請求項１又は２に記載の発明の効果に加えて、携帯情報端末のネットワーク接続手段は、インターネット又は遊技場内のローカルエリアネットワークに無線通信により接続し、電子メール受信手段は、ネットワーク接続手段によりインターネット又はローカルエリアネットワークを介して電子メールを受信することができる。また、連絡先は携帯情報端末の電子メールアドレスであり、報知手段は、電子メールアドレス宛ての電子メールを作成、送信して報知を行うことができる。
【００２６】
また、請求項４に係る発明の遊技場監視システムでは、請求項１又は２に記載の発明の効果に加えて、携帯情報端末は、通話手段は、携帯電話用通信網に接続して通話することができる。また、連絡先は携帯情報端末の電話番号であり、報知手段は、電話番号宛に電話をかけ、異常の発生を伝える音声データを流すことにより報知を行うことができる。
【００２７】
また、請求項５に係る発明の遊技場監視システムでは、請求項１乃至４のいずれかに記載の発明の効果に加えて、島管理装置は、探索アンテナ、認証タグ通信手段、連絡先記憶手段、探索手段、第１探索制御手段、報知手段、第１報知制御手段、優先順位記憶手段を備えることができる。したがって、島管理装置において報知の処理をすることができる。
【００２８】
また、請求項６に係る発明の遊技場監視システムでは、請求項５に記載の発明の効果に加えて、島管理装置の依頼情報送信手段は、他の島管理装置に対して、その島管理装置の探索アンテナから所定距離内に存在する認証タグを探索する依頼を行う依頼情報を送信し、依頼情報受信手段は、他の島管理装置から送信された依頼情報を受信し、距離情報記憶手段は、他の島管理装置に対して、自分からの距離に関する距離情報を記憶したと、依頼情報送信制御手段は、距離情報記憶手段に記憶されている距離情報に基づいて選択された島管理装置へ依頼情報を送信し、第２探索制御手段は、依頼情報受信手段において依頼情報を受信した場合には、探索アンテナから所定距離内に存在する認証タグを探索手段により探索することができる。したがって、異常が発生した遊技機の遊技島に設置されている島管理装置の近隣に係員がいなかった場合であっても、他の島管理装置に係員の探索を依頼することができるので、異常発生を報知できる。
【００２９】
また、請求項７に係る発明の遊技場監視システムでは、請求項６に記載の発明の効果に加えて、依頼情報送信制御手段は、自分に隣接している島管理装置へ依頼情報を送信することができる。したがって、異常が発生した遊技機の遊技島に隣接した遊技島の周囲にいる係員を探索して、報知できる。
【００３０】
また、請求項８に係る発明の遊技場監視システムでは、請求項６又は７に記載の発明の効果に加えて、島管理装置の第２報知制御手段は、第２探索制御手段の制御により探索手段によって認証タグを探索した場合に、探索された認証タグに対応して連絡先記憶手段に記憶されている連絡先へ、報知手段により異常の発生を報知することができる。したがって、依頼を受けた島管理装置で異常発生の報知処理を行うことができる。
【００３１】
また、請求項９に係る発明の遊技場監視システムでは、請求項８に記載の発明の効果に加えて、島管理装置の第２報知制御手段は、報知手段による異常の発生の報知を行った際に、依頼情報の送信元の島管理装置に報知を行った旨を示す報知済情報を送信することができる。したがって、依頼を受けた島管理装置で異常発生の報知がされた場合であっても、依頼元の島管理装置（異常が発生した遊技機の遊技島に設置されている島管理装置）において報知が行われたことを知ることができる。
【００３２】
また、請求項１０に係る発明の遊技場監視システムでは、請求項６又は７に記載の発明の効果に加えて、島管理装置の応答情報送信手段は、第２探索制御手段の制御により探索手段によって認証タグを探索した場合に、探索された認証タグを示す情報又は探索された認証タグに対応して連絡先記憶手段に記憶されている連絡先を示す情報である応答情報を依頼情報の送信元の島管理装置へ送信し、応答情報受信手段は、他の島管理装置の応答情報送信手段から送信された応答情報を受信し、第３報知制御手段は、応答情報受信手段により応答情報を受信した際には、応答情報に示されている認証タグに対応して連絡先記憶手段に記憶されている連絡先、又は、応答情報に示されている連絡先へ、報知手段により異常の発生を報知することができる。したがって、他の島管理装置認証タグの探索の依頼をした場合であっても、異常が発生した遊技機の遊技島に設置されている島管理装置において異常の発生を報知することができる。
【００３３】
また、請求項１１に係る発明の遊技場監視システムでは、請求項９に記載の発明の効果に加えて、島管理装置の第１継続依頼情報送信手段は、報知済情報受信手段は、第２報知制御手段が送信した報知済情報を受信し、依頼情報送信手段により依頼情報を送信してから所定時間経過した際に、報知済情報受信手段が報知済情報を受信していない場合には、距離情報記憶手段に記憶されている距離情報に基づいて、まだ依頼情報を送信していない島管理装置のうちで最も距離の近い島管理装置へ依頼情報を送信することができる。したがって、他の島管理装置に認証タグの探索の依頼をしても認証タグが探索されなかった場合であっても、異常が発生した遊技機の遊技島に設置されている島管理装置においてさらに他の島管理装置に探索の依頼をすることができる。
【００３４】
また、請求項１２に係る発明の遊技場監視システムでは、請求項６乃至１０のいずれかに記載の発明の効果に加えて、島管理装置の第２継続依頼情報送信手段は、第２探索制御手段の制御により探索手段によって認証タグを探索できなかった場合に、距離情報記憶手段に記憶されている距離情報に基づいて、依頼情報の送信元の島管理装置を除く最も距離の近い島管理装置へ依頼情報を送信することができる。したがって、他の島管理装置に認証タグの探索の依頼をしても認証タグが探索されなかった場合であっても、依頼を受けた島管理装置がさらに他の島管理装置に探索の依頼をすることができる。
【００３５】
また、請求項１３に係る発明の遊技場監視システムでは、請求項６乃至１０のいずれかに記載の発明の効果に加えて、依頼情報には、第２探索制御手段の制御により探索手段によって認証タグを探索できなかった場合に、継続して依頼情報を送信する島管理装置を特定する継続端末情報が含まれており、島管理装置の第３継続依頼情報送信手段は、第２探索制御手段の制御により探索手段によって認証タグを探索できなかった場合には、依頼情報に含まれている継続情報により特定される島管理装置へ依頼情報を送信することができる。したがって、他の島管理装置に認証タグの探索の依頼をしても認証タグが探索されなかった場合であっても、依頼を受けた島管理装置がさらに他の島管理装置に探索の依頼をすることができる。
【００３６】
また、請求項１４に係る発明の遊技場監視システムでは、請求項６乃至１０のいずれかに記載の発明の効果に加えて、島管理装置の探索不能情報送信手段は、第２探索制御手段の制御により探索手段によって認証タグを探索できなかった場合に、認証タグを探索できなかった旨の探索不能情報を依頼情報の送信元の島管理装置へ送信し、探索不能情報受信手段は、他の島管理装置の探索不能情報送信手段から送信された探索不能情報を受信し、第４継続依頼情報送信手段は、探索不能情報受信手段により探索不能情報を受信した際には、距離情報記憶手段に記憶されている距離情報に基づいて、まだ依頼情報を送信していない島管理装置のうちで最も距離の近い島管理装置へ依頼情報を送信することができる。したがって、他の島管理装置に認証タグの探索の依頼をしても認証タグが探索されなかった場合であっても、異常が発生した遊技機の遊技島に設置されている島管理装置においてさらに他の島管理装置に探索の依頼をすることができる。
【００３７】
また、請求項１５に係る発明の遊技場監視システムでは、請求項６乃至１４のいずれかに記載の発明の効果に加えて、島管理装置の不在時連絡先記憶手段は、認証タグが存在しなかった場合の連絡先を記憶し、第４報知制御手段は、第１探索制御手段において探索手段による探索で認証タグが１つも探索されなかった場合、又は、依頼情報送信手段により依頼情報を送信してから所定時間経過した際に応答情報受信手段が応答情報を受信していない際、若しくは、探索不能情報受信手段が探索不能情報を受信した際に依頼情報を送信すべき島管理装置が存在しない場合に、不在時連絡先記憶手段に記憶されている連絡先に報知することができる。したがって、係員が近くにいない場合であっても所定の係員に報知することができる。
【００３８】
また、請求項１６に係る発明の遊技機は請求項１乃至１５に記載の発明の遊技場監視システムにより監視することができる。
【発明を実施するための最良の形態】
【００３９】
以下、本発明の実施の形態について、第１の実施の形態及び第２の実施の形態を、図面を参照して以下の順で説明する。尚、第１の実施の形態と第２の実施の形態において、下記１〜５については同様の形態であるので、説明を共用する。
１．システム構成の概要説明
２．パチンコ機及びパチンコ機付属機器の説明
３．島管理装置の説明
４．ＩＣタグ及びアンテナの説明
５．報知の電子メールの説明
６．第１の実施の形態
６−１．異常発生報知に係るデータの説明
６−２．島管理装置の報知動作の説明
６−３．実施の形態の効果
７．第２の実施の形態
７−１．異常発生報知に係るデータの説明
７−２．島管理装置の報知動作の説明
７−３．実施の形態の効果
８．請求項との対比
９．変形例の説明
【００４０】
１．システム構成の概要説明
まず、図１及び図２を参照して、第１の実施の形態及び第２の実施の形態の遊技場監視システムの全体構成について説明する。図１は、遊技場監視システムを示す構成図である。図２は、遊技場監視システムを導入した遊技場内の外観を示す説明図である。
【００４１】
遊技場には、パチンコ機１が設置される設置台である遊技島２００が複数設置されている。遊技島２００では、パチンコ機１が背中合わせに２列に並べられて設置されている。そして、各遊技島２００の内部には、パチンコ機１を監視するための監視制御装置であるリーダライタ（以下、ＲＷと称する）３０が、１台のパチンコ機１に１台ずつ設置されている。また、ＲＷ３０は通信ユニット３００を備えており、遊技島２００の外面、パチンコ機１の前面上部に設置されている。この通信ユニット３００には、ＲＷ３０が外部と通信するための種々のアンテナが備えられている。そして、各通信ユニット３００の上側には、遊技者が個々のパチンコ機１の遊技内容（本日の大当たり回数など）に関する情報を入手するための情報表示器２０１が設置されている。
【００４２】
また、遊技島２００にはそれぞれ１台ずつ島管理装置１００が設置されている。この島管理装置１００は、無線ＬＡＮである店内ネットワーク１５０に接続しており、ＲＷ３０が店内ネットワーク１５０へ接続するためのアクセスポイントとしての機能も有している。また、店内ネットワーク１５０には遊技者端末４００及びホールコンピュータ６００も接続している。
【００４３】
かかる遊技場監視システムにおいては、各ＲＷ３０により、各パチンコ機１に設置された後述の監視タグ８６と監視アンテナ６８と（図３〜図５参照）のＲＦＩＤ通信を利用して、両者の通信状態に基づいて開閉部材の開閉状態が監視される。ＲＷ３０は、継続的に監視アンテナ６８から監視タグ８６を呼び出す呼出波を送信しており、予めＲＷ３０に登録されているＩＤコードを含む反射波を送信する監視タグ８６とのＲＦＩＤ通信が成立している状態では、監視場所は閉じられている（正常）と判断される。そして、監視タグ８６と監視アンテナ６８とのＲＦＩＤ通信が断たれた場合や、予めＲＷ３０に登録されている監視タグでないＩＣタグとＲＦＩＤ通信をした場合には異常と判断され、ＲＷ３０から島管理装置１００へ「エラー情報」が送信される。
【００４４】
また、遊技場の係員は係員カード５１０及び携帯電話５２０を所持している。係員カード５１０は、係員の身分を証明するためのカードである。係員はパチンコ機１の玉詰まりの除去等の作業を行う際に、パチンコ機１の前面枠１１や本体枠１０（図３参照）を開放する。しかしながら、この係員による開放は作業のための開放であり、不正者による不正開放ではない。そこで、係員は係員カード５１０を用いてＲＷ３０に作業を行う旨を認識させる（「認証状態」とさせる）。
【００４５】
この係員カード５１０には、係員を識別可能なＩＤコード（ＩＣタグ固有の識別コード）を記憶したＩＣタグである認証タグ５１１が内蔵されており、ＲＷ３０にはこの認証タグ５１１と通信するための認証アンテナ３０１が備えられ、通信ユニット３００に内蔵されている（図５参照）。そこで、係員は作業を行う前に係員カード５１０を通信ユニット３００にかざす。すると、認証アンテナ３０１と認証タグ５１１とのＲＦＩＤ通信が成立するので、ＲＷ３０は「認証状態」とされ、監視タグ８６と監視アンテナ６８とのＲＦＩＤ通信が断たれても係員による「作業中」であると判断される。そして、島管理装置１００へは「エラー情報」でなく、「作業情報」が送信されることとなる。尚、この「認証状態」はパチンコ機１の前面枠１１及び本体枠１０が閉じられた際に解除される。
【００４６】
また、ＲＷ３０から「エラー情報」及び「作業情報」を受信した島管理装置１００は、それらの情報をホールコンピュータ６００へ送信する。そして、各パチンコ機１についてのエラー情報はホールコンピュータ６００において集計、記憶される。しかし、不正開放が行われた際には、その行為に対して係員が対処する必要がある。そこで、「エラー情報」を受信した島管理装置１００では、自身の周囲にいる係員を探索し、その係員の所有する携帯電話５２０に異常発生を知らせる電子メールを送信する。尚、携帯電話５２０は、通話機能（「通話手段」に相当）、無線ＬＡＮ（店内ネットワーク１５０）に接続する機能（「ネットワーク接続手段」に相当）、インターネットに接続する機能（「電子メール受信手段」に相当）が備えられた周知の携帯電話である。
【００４７】
周囲にいる係員の探索には、係員カード５１０の認証タグ５１１が使用される。島管理装置１００には、認証タグ５１１に記憶されている係員を識別するＩＤコードに対応して、その係員の携帯する携帯電話の電子メールアドレスが記憶されている（図７参照）。さらに、島管理装置１００には、係員カード５１０の認証タグ５１１とＲＦＩＤ通信を行うための探索アンテナ１１１が備えられており、「エラー情報」を受信した際には探索アンテナ１１１から認証タグ５１１を呼び出す呼出波を送信し、応答した認証タグ５１１の係員の携帯電話５２０へ異常発生の電子メールを送信する。尚、この探索アンテナ１１１は、複数設けられており、島管理装置１００の内部、島管理装置１００が設置されているのと反対側の遊技島２００の端、遊技島２００の両側面に所定間隔で設置されている。
【００４８】
尚、島管理装置１００の周囲に応答する認証タグ５１１がなかった場合の処理が、第１の実施の形態と第２の実施の形態とで異なる。
【００４９】
第１の実施の形態では、両隣の遊技島２００の島管理装置１００へ依頼情報（図９参照）を送信して、周囲の係員（認証タグ５１１）の探索の依頼を行う。そして、依頼を受けた島管理装置１００では、自身の周囲にいる係員を探索し、応答のあった認証タグ５１１のＩＤコード（応答情報、図１２参照）を依頼元の島管理装置１００へ送信する。そして、ＩＤコードを受信した島管理装置１００ではそのＩＤコードの係員の携帯電話５２０へ異常発生の電子メールを送信する。尚、依頼情報を受け取った島管理装置１００においても、その周囲に係員（認証タグ５１１）が探索されなかった場合には、依頼情報に含まれている継続探索先の島管理装置１００に再度依頼情報を送信して、係員（認証タグ５１１）の探索が行われる。尚、全ての継続依頼先の島管理装置１００においても係員（認証タグ５１１）が探索されなかった場合には、予め登録されている管理者の携帯電話５２０へ異常発生の電子メールが送信される。このように、第１の実施の形態では、異常が発生した遊技島２００の島管理装置１００が報知を行っている。
【００５０】
第２の実施の形態では、まず、片方の隣の遊技島２００の島管理装置１００へ依頼情報（図１８参照）を送信して、周囲の係員（認証タグ５１１）の探索の依頼を行う。そして、依頼を受けた島管理装置１００では、自身の周囲にいる係員を探索し、応答のあった認証タグ５１１のＩＤコードの係員の携帯電話５２０へ異常発生の電子メールを送信し、報知を行った旨を示す応答情報を依頼元の島管理装置１００へ送信する。尚、認証タグ５１１からの応答がなかった場合には、その旨を示す探索不能情報が依頼元の島管理装置１００へ送信される。そして、依頼元の島管理装置１００では、反対側の隣の遊技島２００の島管理装置１００に依頼情報を送信する。そして、その島管理装置１００から応答情報が返送されてくれば、報知は行われたとして処理が完了するが、探索不能情報が返送されてきた場合には、さらに隣の遊技島２００の島管理装置１００へ依頼情報を送信する。このように、第２の実施の形態では、係員（認証タグ５１１）を見つけた島管理装置１００が報知を行っている。
【００５１】
尚、遊技者は、遊技者を識別可能なＩＤコードを記憶したＩＣタグである遊技者タグ４１１を内蔵した遊技者カード４１０を所有している。この遊技者タグ４１１には、遊技者を識別可能なＩＤコードの他に、その遊技者の過去の遊技情報が記憶されている。遊技者は、遊技を開始する前に、通信ユニット３００に遊技者カード４１０をセットする。通信ユニット３００には、ＲＷ３０が遊技者タグ４１１とＲＦＩＤ通信を行うための遊技者アンテナ３０２（図５参照）が備えられている。そして、ＲＷ３０では、繰り返し遊技者タグ４１１を呼び出す呼出波を送信しており、遊技者タグ４１１とのＲＦＩＤ通信が成立し、遊技者を認識すると、その後のパチンコ機１の遊技情報（打ち込み球数、払出球数、大当たり抽選回数、大当たり回数など）が所定時間（例えば、１分）ごとに遊技者タグ４１１へ送信され、遊技者タグ４１１のＥＥＰＲＯＭ（図示外）に書き込まれる。また、遊技者タグ４１１に書き込まれる遊技情報は、ＲＷ３０から島管理装置１００のアクセスポイント１０９（図６参照）を経由して、ホールコンピュータ６００へ送信され、集計、記憶される。
【００５２】
また、遊技者端末４００にも、遊技者タグ４１１とＲＦＩＤ通信するためのアンテナが設けられており、遊技者端末４００は遊技者カード４１０（遊技者タグ４１１）に記憶されている遊技情報を読み出すことができる。そこで、遊技者は、遊技者カード４１０を遊技者端末にセットすることにより、記憶されている遊技情報を閲覧することができる。
【００５３】
２．パチンコ機及びパチンコ機付属機器の説明
次に、図３乃至図５を参照して、パチンコ機１について説明する。図３は、パチンコ機１の前面枠１１及び本体枠１０を開いた状態をパチンコ機１の前面から見た斜視図である。図４は、パチンコ機１の背面図である。図５は、パチンコ機１の電気的構成を示すブロック図である。
【００５４】
図３に示すように、パチンコ機１は、機枠１２と、本体枠１０と、前面枠１１とから構成されている。機枠１２は、パチンコ機１を遊技島２００に固定するためのものである。また、本体枠１０は、前面側に遊技領域４を有する遊技盤２、遊技球を貯留するための上皿５や下皿６等を備え、裏面側には機構部としての機構板、パチンコ機１の制御を司る種々の基板等が設置されている。そして前面枠１１は、遊技盤を覆うためのガラス板を保持している。さらに、遊技領域４には、図柄表示装置や各種入賞口等が設けられている。
【００５５】
図４に示すように、パチンコ機１背面の下部には、パチンコ機１の主制御を司る主基板４１を収納した主基板ケース８１、遊技球の払い出しを制御する払出制御基板４５を収容した払出制御基板ケース８２等が配置されている。また、機構板は、遊技球を払い出すための払出装置６７を備えている。
【００５６】
次に、図５を参照してパチンコ機１の主な構成要素の電気的構成について説明する。パチンコ機１には、主基板４１、電源基板４２、音基板４３、図柄表示基板４４、払出制御基板４５、電飾基板４６、中継基板４７、発射基板６６、サブ統合基板５８等が設けられている。主基板４１には、各種の演算処理を行うＣＰＵ５１が設けられており、フラグやカウンタ値やデータを記憶するＲＡＭ５２と、制御プログラム及び各種の初期値のデータや遊技領域４に設けられた図柄表示装置への表示内容のデータ等を記憶したＲＯＭ５３とを備えている。また、ＣＰＵ５１は、Ｉ／Ｏインタフェイス５４に接続しており、Ｉ／Ｏインタフェイス５４には、サブ統合基板５８、払出制御基板４５、中継基板４７が接続している。さらに、サブ統合基板５８には図柄表示基板４４、電飾基板４６、音基板４３が接続され、払出制御基板４５には発射基板６６が接続されている。電源基板４２は遊技島２００に備えられた電源から電源供給を受けており、主基板４１、サブ統合基板５８、払出制御基板４５、発射基板６６に電源供給を行っている。
【００５７】
また、図３及び図４に示すように、監視タグ８６ａ〜８６ｃが主基板ケース８１、機枠１２、前面枠１１に貼り付けられている。そして、主基板ケース８１、機枠１２と本体枠１０、本体枠１０と前面枠１１の開閉の監視が行われている。そして、各監視場所が閉じられた状態において、監視タグ８６と対峙し、ＲＦＩＤ通信が可能な位置に監視アンテナ６８が備えられている。そこで、主基板ケース８１に貼り付けられた監視タグ８６をケースタグ８６ａ、機枠１２に貼り付けられた監視タグ８６を機枠タグ８６ｂ、前面枠１１に貼り付けられた監視タグ８６を前面枠タグ８６ｃとする。尚、ケースタグ８６ａと通信する監視アンテナ６８をケースアンテナ６８ａ、機枠タグ８６ｂと通信する監視アンテナ６８を機枠アンテナ６８ｂ、前面枠タグ８６ｃと通信する監視アンテナ６８を前面枠アンテナ６８ｃとする。尚、主基板４１が収容されている主基板ケース８１を監視場所１とし、本体枠１０と機枠１２を監視場所２とし、前面枠１１と本体枠１０を監視場所３とする。
【００５８】
次に、図５を参照してＲＷ３０について説明する。ＲＷ３０には、ＲＷ３０の制御を司るＣＰＵ３２が設けられている。ＣＰＵ３２にはフラグやデータ等を一時的に記憶するＲＡＭ３４、制御プログラム及び各種の初期値のデータ等を記憶したＲＯＭ３３が内蔵されている。そして、ＣＰＵ３２には、監視情報等を記憶するＥＥＰＲＯＭ３５、監視タグ８６へ呼出波を送信し、反射波を受信するためのＲａｄｉｏ  Ｆｒｅｑｕｅｎｃｙ回路（以下、ＲＦ回路と称する）３８、時間管理を行うＲＴＣ（以下、Ｒｅａｌ  Ｔｉｍｅ  Ｃｌｏｃｋと称する）７１、Ｉ／Ｏインタフェイス３７が接続している。Ｉ／Ｏインタフェイス３７には、パチンコ機１の主基板４１の出力ポート５５と接続する入力ポート３９、島管理装置１００のアクセスポイント１０９（図６参照）を介して店内ネットワーク１５０に接続するため通信回路３６が接続されている。
【００５９】
そして、ＲＦ回路３８には、係員カード５１０の認証タグ５１１とＲＦＩＤ通信するための認証アンテナ３０１、及び、遊技者カード４１０の遊技者タグ４１１とＲＦＩＤ通信するための遊技者アンテナ３０２がケーブルで接続しており、当該パチンコ機１の前面に設置されている通信ユニット３００内に設けられている。また、通信ユニット３００内には通信回路３６にケーブルで接続した、アクセスポイント１０９との送受信を行うためのＬＡＮアンテナ３０３が設けられている。また、パチンコ機１の各監視場所に貼り付けられている監視タグ８６ａ〜８６ｃとＲＦＩＤ通信するための監視アンテナ６８ａ〜６８ｃもＲＦ回路３８に接続している。
【００６０】
３．島管理装置の説明
次に、図６及び図７を参照して、島管理装置１００について説明する。図６は、島管理装置１００の電気的構成を示すブロック図であり、図７は、島管理装置１００のＥＥＰＲＯＭ１０４に記憶されている係員情報記憶エリア１０４１の模式図である。図６に示すように、島管理装置１００は、ＣＰＵ１０１を備えており、ＲＡＭ１０２，ＲＯＭ１０３，ＥＥＰＲＯＭ１０４，Ｉ／Ｏインタフェイス１０５、ＲＴＣ１１２がＣＰＵ１０１に接続している。さらに、ＣＰＵ１０１には、ＲＦ回路１０８が接続されており、係員カード５１０の認証タグ５１１とＲＦＩＤ通信するための探索アンテナ１１１が接続している。そして、Ｉ／Ｏインタフェイス１０５には、ＲＷ３０が店内ネットワーク１５０に接続するためのアクセスポイント１０９が接続されている。そして、当該島管理装置１００が店内ネットワーク１５０に接続するための通信回路１１０がＬＡＮアンテナ１０６を備えて接続している。また、Ｉ／Ｏインタフェイス１０５には、遊技島２００の監視の状態を示すメッセージ等を表示する表示器１０７が設けられている。
【００６１】
また、ＥＥＰＲＯＭ１０４には、係員情報記憶エリア１０４１、不在時アドレス記憶エリア１０４２、島管理装置情報記憶エリア１０４３等が設けられている。係員情報記憶エリア１０４１には、係員の所有する係員カード５１０の認証タグ５１１のＩＤコードに対応して、その係員が所有する携帯電話５２０の電子メールアドレスが記憶されている（図７参照）。不在時アドレス記憶エリア１０４２には、異常の発生したパチンコ機１の遊技島２００の島管理装置１００の周囲及び近隣の遊技島２００の周囲に係員がいない場合に送信する報知の電子メールのアドレスが記憶されている。依頼先情報記憶エリア１０４４には、自身に近い島管理装置１００の管理番号が順に記憶されている。この情報は、異常の発生したパチンコ機１の遊技島２００の島管理装置１００の周囲に係員がいない場合に送信する依頼情報の宛先となる島管理装置１００の管理番号、継続依頼先となる管理番号として使用される（図１２参照）。島管理装置情報記憶エリア１０４３には、遊技場内の島管理装置１００へデータを送信する際の送信先アドレス等の情報が記憶されている。
【００６２】
ここで、図７を参照して、係員情報記憶エリア１０４１について説明する。ここには、係員カード５１０の認証タグ５１１に記憶されているＩＤコードに対応して、その係員の携帯する携帯電話の電子メールアドレス、係員のレベル、優先順位が記憶されている。ここで、係員のレベルとは店長、店員、アルバイトといった係員の立場を示すものであり、本実施の形態では、店長には「１」、店員には「２」、アルバイトには「３」がコードとして割り当てられている。そして、島管理装置１００の周囲に複数の係員が存在した場合には、店員、アルバイト、店長の順に報知先の係員が決定される。すなわち、アルバイトと店員がいた場合には、店員が報知先とされる。また、優先順位は、同じ立場同士での報知の優先順位であり、複数の同じ立場の係員がいた場合には優先順位の高い係員が報知先とされる。すなわち、優先順位１位の店員と優先順位５位の店員がいた場合には、１位の店員が報知先とされる。
【００６３】
図７に示す例では、ＩＤコード「ｓｒｅ５ｔ４ａｒ」の報知先は「tentyou@xxxxx.ne.jp」、レベル「１」の店長で優先順位は１位、ＩＤコード「ａ７ｔ８ｅｂ４ｒ」の報知先は「syain-1@xxxxx.ne.jp」、レベル「２」の店員で優先順位は１位、ＩＤコード「７ｅ８ｒ２ｔ４８」の報知先は「syain-2@xxxxx.ne.jp」、レベル「２」の店員で優先順位は２位、ＩＤコード「ｔｅ７９８ｒｅ４」の報知先は「syain-3@xxxxx.ne.jp」、レベル「２」の店員で優先順位は３位、ＩＤコード「ａ７ｔｅ８６ｗｅ」の報知先は「baito-11@xxxxx.ne.jp」、レベル「３」のアルバイトで優先順位は１１位、ＩＤコード「ａｔ４５ｅｒ４８」の報知先は「baito-12@xxxxx.ne.jp」、レベル「３」のアルバイトで優先順位は１２位である。そして、他のＩＤコードの情報は省略されている。
【００６４】
４．ＩＣタグ及びアンテナの説明
次に、監視タグ８６、遊技者タグ４１１、認証タグ５１１について説明する。監視タグ８６、遊技者タグ４１１は１３．５６ＭＨｚの短波帯でＲＦＩＤ通信を行うＩＣタグである。
【００６５】
例えば、主基板ケース８１は上蓋部及び下蓋部の中に主基板４１が収納され、上蓋部と下蓋部とは開かないようにかしめられている。そして、ケースアンテナ６８ａは主基板ケース８１の下蓋部に設置されており、ケースタグ８６ａは上蓋部に設置されている。そして、ケースアンテナ６８ａとケースタグ８６ａとの距離は、主基板ケース８１の上蓋部と下蓋部を組み付けた状態で約３ｍｍになるように配置されている。この距離間ではＲＦＩＤ通信が可能であり、ケースアンテナ６８ａとケースタグ８６ａとの距離が約５ｍｍを超えると通信不能となるように設定されている。この通信可能距離は、監視アンテナ６８のコイルの巻き数やリアクタンス値により調節が可能である。このように通信可能距離を設定することにより、上蓋部のわずかな隙間の開放であっても検知することができ、また、振動等によるわずかな揺れでは通信不能とならないように調整されている。
【００６６】
また、機枠タグ８６ｂと機枠アンテナ６８ｂとの通信可能距離についても、機枠１２と本体枠１０とを閉じた状態では通信可能となり、少しでも開けられた状態（例えば、５ｍｍを超えた状態）では通信不能となるように、機枠アンテナ６８ｂのコイルの巻き数やリアクタンス値の調節が行われている。そして、前面枠タグ８６ｃと前面枠アンテナ６８ｃとの通信可能距離についても、前面枠１１と本体枠１０とを閉じた状態では通信可能となり、少しでもあけられた状態（例えば、３ｍｍを超えた状態）では通信不能となるように、前面枠アンテナ６８ｃのコイルの巻き数やリアクタンス値の調節が行われている。
【００６７】
また、認証タグ５１１は、９５０ＭＨｚのＵＨＦ帯を利用している。このＵＨＦ帯を利用したＩＣタグでは、数ｍと通信距離が長く、アンテナから発信される電波の波長が長いと共に、電波の回り込み易いので、係員が所持している認証タグ５１１をアンテナに近づけなくてもＲＦＩＤ通信を行うことが可能である。前述したように、認証タグ５１１と通信するための探索アンテナ１１１は、遊技島２００に複数設置されており、遊技島２００の周囲に隈なく探索アンテナ１１１から発せられる呼出波が届くように構成されているので、遊技島２００の周囲に認証タグ５１１を内蔵した係員カード５１０を所有した係員がいれば、島管理装置１００は認証タグ５１１とＲＦＩＤ通信を行うことができる。また、探索アンテナ１１１から発信される電波の届かない場所にいる係員の係員カード５１０の認証タグ５１１とはＲＦＩＤ通信が成立しないため、遊技島２００から離れている係員を探索することはない。尚、認証を行うための認証アンテナ３０１は、短い距離（例えば、２ｃｍ）に認証タグ５１１が近づかないとＲＦＩＤ通信ができないように、コイルの巻き数やリアクタンス値の調節が行われている。
【００６８】
また、遊技者アンテナ３０２は通信ユニット３００の内部に設置されている。通信ユニット３００は遊技者カード４１０を保持できるように、その上面にカード差込口が設けられている。そして、遊技者カード４１０がカード差込口に挿入された状態で通信可能なようにコイルの巻き数やリアクタンス値の調節が行われている。
【００６９】
５．報知の電子メールの説明
図１３は、報知の電子メールを表示した携帯電話５２０の画面イメージ図５２１である。図１３に示す例では、送信者「監視システム」から「異常発生！（３０８：前面枠）」という題名の電子メールが２００５年１月１５日に送信されている。そして、その文面には「３０８番台前面枠開放！  対処して下さい。  ２００５／１／１５発生」と記載され、３０８番台のパチンコ機１の前面枠１１が、２００５年１月１５日の１５:２８に不正に開放された旨を示している。
【００７０】
６．第１の実施の形態
６−１．異常発生報知に係るデータの説明
まず、図８乃至図１２を参照して、第１の実施の形態において、島管理装置１００へＲＷ３０から「エラー情報」が送信されてきた際に、島管理装置１００の周囲の係員（認証タグ５１１）を探索しても探索されなかった場合に、近隣の島管理装置１００と送受信される各種データについて説明する。
【００７１】
第１の実施の形態では、異常の発生した遊技島２００の島管理装置１００において、係員（認証タグ５１１）が探索されなかった場合には、ＥＥＰＲＯＭ１０４に記憶されている依頼先情報記憶エリア１０４４（図８参照）に登録されている管理番号の島管理装置１００へ依頼情報を送信する。そして、依頼を受けた島管理装置１００が係員を発見できれば、その係員のＩＤコードを載せた応答情報が依頼元の島管理装置１００へ送信され、依頼元の島管理装置１００で異常報知の電子メールが発見された係員の携帯電話５２０へ送信される。また、依頼を受けた島管理装置１００でも係員を発見できない場合には、依頼情報に含まれている継続依頼先の島管理装置１００へさらに依頼情報が送信される。
【００７２】
図８は、島管理装置１００のＥＥＰＲＯＭ１０４に記憶されている依頼先情報記憶エリア１０４４の模式図である。図９は、異常の発生した遊技島２００の島管理装置１００が他の島管理装置１００へ係員の探索を依頼する最初の依頼情報である第１依頼情報１２１の模式図であり、図１０は、第１依頼情報１２１を受信した島管理装置１００がさらに継続依頼先の島管理装置１００で送信する依頼情報である第２依頼情報１２２の模式図であり、図１１は第３依頼情報１２３の模式図であり、図１２は、第２依頼情報１２２を受信した島管理装置１００がさらに継続依頼先の島管理装置１００で送信する依頼情報である第３依頼情報１２３の模式図であり、図１３は、係員の探索の結果を依頼元の島管理装置１００へ応答する応答情報１３１の模式図である。
【００７３】
まず、図８を参照して、依頼先情報記憶エリア１０４４について説明する。ここには、自身からの距離の近い６台分の島管理装置１００の管理番号が記憶されている。本第１の実施の形態の遊技場では、図１に示すように、遊技島２００が１列に並んでいる。そこで、１台目の管理番号を記憶するエリアには、一方の隣の島管理装置１００の管理番号が記憶され、２台目の管理番号を記憶するエリアには、さらにその隣の島管理装置１００の管理番号が記憶され、３台目の管理番号を記憶するエリアには、さらにその隣の島管理装置１００の管理番号が記憶される。そして、４台目の管理番号を記憶するエリアには、他方の隣の島管理装置１００の管理番号が記憶され、５台目の管理番号を記憶するエリアには、さらにその隣の島管理装置１００の管理番号が記憶され、６台目の管理番号を記憶するエリアには、さらにその隣の島管理装置１００の管理番号が記憶される。
【００７４】
本第１の実施の形態では、島管理装置１００の管理番号は端から順に１０１，１０２，１０３，１０４，１０５，１０６，１０７，…，１１４，１１５と振られているとする。図８に示す例は、１０３番の島管理装置１００における依頼先情報記憶エリア１０４４の例であり、１台目には隣の「１０２」、２台目にはその隣の「１０１」が記憶されている。３台目には「１０１」のさらに隣の管理番号が記憶されるが、１０１番は一番端の島管理装置１００であるので、３台目には何も記憶されていない。そして、４台目には他方の隣の「１０４」、５台目にはその隣の「１０５」、６台目にはさらに隣の「１０６」が記憶されている。
【００７５】
次に、図９乃至図１１を参照して、依頼情報について説明する。依頼情報は、島管理装置１００において探索アンテナ１１１から呼出波を送信しても、認証タグ５１１から反射波の応答を１つも得られなかった場合に、近隣の島管理装置１００に対して周囲にいる係員を探索するように依頼するための情報である。
【００７６】
本第１の実施の形態では、エラー情報を受信した島管理装置１００が周囲に係員が探索されなかった場合に、隣接する３台の島管理装置１００へ係員探索の依頼を順に行う。例えば、遊技島２００が１５島あり、島管理装置１００も１５台あったとする。そして、島管理装置１００に対して端から順に１０１番，１０２番，…，１１５番と管理番号が割り当てられているとする。そこで、１０３番の島管理装置１００においては図８の例にあるように、エラー情報を受信したが係員が探索されなかった場合には、１０４番及び１０２番の島管理装置１００へ依頼情報を送信する。尚、１０４番への依頼情報には１０４番においても係員が探索されなかった場合には、１０５番，１０６番の順でさらに係員の依頼を行う旨の指示もなされる。また、１０２番への依頼情報には、１０２番においても係員が探索されなかった場合には、１０１番への係員の依頼を行う旨の指示もなされる。
【００７７】
この依頼情報には、区分、応答先、宛先、継続依頼先がセットされている。「区分」は、この情報が依頼情報であることを示すコードであり「１」がセットされる。「応答先」は、依頼に対する応答をする島管理装置１００の管理番号がセットされる。「宛先」は、この依頼情報の送信先の島管理装置１００の管理番号がセットされる。「継続依頼先」は、依頼情報を受信した島管理装置１００において係員が探索されなかった場合に、さらに他の島管理装置１００へ探索の依頼を行う場合に依頼先とされる島管理装置１００の管理番号がセットされる。
【００７８】
図９に示す第１依頼情報１２１は、最初の依頼情報（エラー情報を受信した島管理装置１００が送信する依頼情報）である。図９に示すように、区分「１」で依頼情報であることを示しており、「応答先」は自身の管理番号である「１０３」がセットされている。そして、「宛先」は、依頼先情報記憶エリア１０４４に記憶されている情報に基づいて、隣の島管理装置１００の管理番号である「１０４」、「継続依頼先」の「１位」はさらに隣の島管理装置１００の管理番号「１０５」がセットされ、「２位」はさらにその隣の島管理装置１００の管理番号「１０６」がセットされている。
【００７９】
図１０に示す第２依頼情報１２２は、図９の第１依頼情報１２１を受信した１０４番の島管理装置１００において係員が探索されなかった場合に、さらに隣の１０５番の島管理装置１００へ送信する依頼情報である。図１０に示すように、区分「１」で依頼情報であることを示しており、「応答先」は第１依頼情報１２１の応答先と同じ「１０３」がセットされ、「宛先」は第１依頼情報１２１の「継続依頼先」の「１位」にセットされていた「１０５」がセットされ、「継続依頼先」の「１位」は、第１依頼情報１２１の「継続依頼先」の「２位」にセットされていた「１０６」がセットされ、「継続依頼先」の「２位」はなくなっている。
【００８０】
図１１に示す第３依頼情報１２３は、図１０の第２依頼情報１２２を受信した１０５番の島管理装置１００においても係員が探索されなかった場合に、さらに隣の島管理装置１００へ送信する依頼情報（最後の依頼情報）である。図１１に示すように、区分「１」で依頼情報であることを示しており、「応答先」は第１依頼情報１２１の応答先と同じ「１０３」がセットされ、「宛先」は第２依頼情報１２２の「継続依頼先」の「１位」にセットされていた「１０６」がセットされ、「継続依頼先」はなくなっている。
【００８１】
次に、図１２の応答情報１３１について説明する。これは、依頼情報を受け取った島管理装置１００において係員が探索された場合に、依頼元の島管理装置１００へその探索結果を伝える情報であり、区分、宛先、ＩＤコードがセットされている。「区分」は、この情報が応答情報であることを示すコードである「２」がセットされる。「宛先」は、依頼情報の「応答先」にセットされていた島管理装置１００の管理番号がセットされる。「ＩＤコード」は、探索された（ＲＦＩＤ通信が確立した）認証タグ５１１から返送された反射波に含まれていたＩＤコードがセットされる。
【００８２】
図１２に示す例は、図９に示す第１依頼情報１２１に対する応答情報であり、区分「２」で応答情報であることを示しており、「宛先」には第１依頼情報１２１の「応答先」にセットされている「１０３」がセットされている。そして、「ＩＤコード」には探索された認証タグ５１１のＩＤコード「ａ７ｔ８ｅｂ４ｒ」，「ａ７ｔｅ８６ｗｅ」，「ｔｅ７９８ｒｅ４」がセットされている。
【００８３】
６−２．島管理装置の報知動作の説明
次に、図１４乃至図１７のフローチャートを参照して、第１の実施の形態における島管理装置１００の報知動作の説明をする。図１４は、島管理装置１００のメイン処理のフローチャートであり、図１５は、メイン処理で行われる報知処理のフローチャートであり、図１６は、メイン処理で行われる依頼処理のフローチャートであり、図１７は、メイン処理で行われる応答処理のフローチャートである。
【００８４】
島管理装置１００は、遊技店の開店前の所定時間にホールコンピュータ６００からの指示により起動する。そして、自身の動作確認等の初期処理が行われる（Ｓ１）。そして、作業情報をＲＷ３０から受信した場合には（Ｓ２：ＹＥＳ）、その作業情報が店内ネットワーク１５０によりホールコンピュータ６００へ送信され（Ｓ７）、Ｓ２へ戻る。また、エラー情報をＲＷ３０から受信した場合には（Ｓ２：ＮＯ，Ｓ３：ＹＥＳ）、異常発生を報知する必要があるので報知処理が行われ（Ｓ８、図１５参照）、Ｓ２へ戻る。図１５を参照して後述するが、ここでは、ホールコンピュータ６００へエラー情報が送信されると共に、周囲の係員が探索され、その係員に対して報知の電子メールが送信される。また、周囲に係員がいない場合には隣の島管理装置１００へ依頼情報を送信してさらに係員の探索が行われる。
【００８５】
また、依頼情報を他の島管理装置１００から受信した場合には（Ｓ２：ＮＯ，Ｓ３：ＮＯ，Ｓ４：ＹＥＳ）、その依頼に応えて依頼処理が行われ（Ｓ９、図１６参照）、Ｓ２へ戻る。図１６を参照して後述するが、ここでは、周囲の係員の探索が行われ、その結果が依頼元の島管理装置１００へ送信される。また、応答情報を他の島管理装置１００から受信した場合には（Ｓ２：ＮＯ，Ｓ３：ＮＯ，Ｓ４：ＮＯ，Ｓ５：ＹＥＳ）、応答処理が行われ（Ｓ１０、図１７参照）、Ｓ２へ戻る。図１７を参照して後述するが、ここでは、エラー情報を受信した際に、自身の周囲に係員がいなかった場合に送信した依頼情報に対する応答として、周囲の島管理装置１００から送信された応答情報に対する処理が行われる。近隣の島管理装置１００により探索された係員へ報知の電子メールが送信される。
【００８６】
そして、作業情報、エラー情報、依頼情報、応答情報のいずれも受信していない場合には（Ｓ２：ＮＯ，Ｓ３：ＮＯ，Ｓ４：ＮＯ，Ｓ５：ＮＯ）、依頼フラグがＯＮであり、依頼情報を近隣の島管理装置１００へ送信して、係員の探索を依頼している状態であるか否かの判断が行われる（Ｓ６）。この依頼フラグは、報知処理（Ｓ８，図１５：Ｓ３３）において依頼情報を他の島管理装置１００へ送信した際にＯＮ（「１」）とされ、応答情報を受信した際にＯＦＦ（「０」）とされる。そして、依頼フラグがＯＮである場合には（Ｓ６：ＹＥＳ）、タイマカウンタが２分を経過したか否かの判断が行われる（Ｓ１１）。このタイマカウンタは報知処理（Ｓ８、図１５：Ｓ３４）において依頼情報を他の島管理装置１００へ送信した際に計時が開始されている。そこで、タイマカウンタが２分を経過、すなわち、依頼情報送信から２分が経過した場合には（Ｓ１１：ＹＥＳ）、２分を経過しても他の島管理装置１００から応答情報を受信していないことになるので、イレギュラー処理として、不在時のアドレスに報知の電子メールが送信される。そこで、タイマカウンタがストップされ（Ｓ１２）、不在時アドレス記憶エリア１０４２に予め記憶されている電子メールアドレスが読み出され（Ｓ１３）、その電子メールアドレス宛てに報知の電子メールが作成され（Ｓ１４）、送信される（Ｓ１５）。そして、Ｓ２へ戻る。尚、タイマカウンタが２分を経過していなければ（Ｓ１１：ＮＯ）、まだ応答情報の受信を待機するので、そのままＳ２へ戻る。
【００８７】
また、依頼フラグがＯＦＦの場合には（Ｓ６：ＮＯ）、その他の処理が行われる（Ｓ１６）。そして、終了の指示をホールコンピュータ６００から受信したか否かの判断が行われ（Ｓ１７）、受信していなければ（Ｓ１７：ＮＯ）、Ｓ２へ戻り、繰り返しＳ２〜Ｓ６，Ｓ１７の判断処理が行われ、それに応じた処理が行われる。尚、終了指示をホールコンピュータ６００から受信したら（Ｓ１７：ＹＥＳ）、終了処理が行われて（Ｓ１８）、本処理は終了し、島管理装置１００は電源ＯＦＦされる。
【００８８】
次に、図１５のフローチャートを参照して、報知処理（図１４，Ｓ８）について説明する。ＲＷ３０からエラー情報を受信したら（図１４、Ｓ３：ＹＥＳ）、まずホールコンピュータ６００へそのエラー情報が送信される（Ｓ２１）。そして、周囲にいる係員を探索するために探索アンテナ１１１から認証タグ５１１を呼び出すための呼出波が送信される（Ｓ２２）。そして、認証タグ５１１からの呼出波に対する反射波の受信処理が行われる（Ｓ２３）。ここでは、所定時間（例えば、５秒間）反射波の受信が待機され、受信した反射波からＩＤコードが読み出され、ＲＡＭ１０２に記憶される。尚、このＩＤコードが記憶されるＲＡＭ１０２の記憶エリアは、呼出波を送信する際に初期化されている。
【００８９】
そして、認証タグ５１１から反射波を受信したか否かの判断が行われる（Ｓ２４）。ＲＡＭ１０２に反射波から読み出されたＩＤコードが記憶されており、かつ、そのＩＤコードが係員情報記憶エリア１０４１に記憶されていれば、係員が所持する係員カード５１０の認証タグ５１１から反射波を受信していることになる（Ｓ２４：ＹＥＳ）。そして、受信した反射波は複数であったか否かが判断される（Ｓ２５）。ＲＡＭ１０２に記憶されているＩＤコードが複数であれば、複数の反射波を受信しているので（Ｓ２５：ＹＥＳ）、島管理装置１００の周囲に複数の店員がいることになる。そこで、それらのＩＤコードの係員のレベルと優先順位が係員情報記憶エリア１０４１から読み出され（Ｓ２６）、その中で最も優先順位の高いＩＤコードの報知先（電子メールアドレス）が読み出される（Ｓ２７）。そして、読み出された電子メールアドレス宛に報知の電子メールが作成される（Ｓ２８）。そして、作成された電子メールが送信される（Ｓ２９）。そして、報知処理は終了し、メイン処理へ戻りＳ２へ進む。
【００９０】
また、受信した反射波が複数でなかった場合には（Ｓ２５：ＮＯ）、周囲に一人の係員しかおらず、１つの認証タグ５１１しか応答せずに、ＲＡＭ１０２に１つのＩＤコードしか記憶されていない。そこで、そのＩＤコードの報知先（電子メールアドレス）が係員情報記憶エリア１０４１から読み出され（Ｓ３０）、そして、読み出された電子メールアドレス宛に報知の電子メールが作成される（Ｓ３１）。そして、作成された電子メールが送信される（Ｓ３２）。そして、報知処理は終了し、メイン処理へ戻りＳ２へ進む。
【００９１】
また、ＲＡＭ１０２にＩＤコードが記憶されていないＩＣタグと通信を行っていたり、認証タグ５１１から反射波を受信していなかったりする場合には（Ｓ２４：ＮＯ）、周囲に係員がいないことになるので、近隣の島管理装置１００へ係員の探索を依頼する必要がある。そこで、まず、依頼フラグに「１」が記憶されて「ＯＮ」とされる（Ｓ３３）。そして、タイマカウンタがスタートされる（Ｓ３４）。そして、依頼情報が作成される（Ｓ３５）。この依頼情報は、予めＥＥＰＲＯＭ１０４の依頼先情報記憶エリア１０４４に記憶されている宛先の島管理装置１００の管理番号を宛先とし、継続依頼先の島管理装置１００の管理番号を継続依頼先とした依頼情報である（図９参照）。そして、宛先にセットされている管理番号の島管理装置１００へその依頼情報が送信される（Ｓ３６）。そして、報知処理は終了し、メイン処理へ戻りＳ２へ進む。
【００９２】
次に、図１６のフローチャートを参照して、依頼処理（図１４，Ｓ９）について説明する。他の島管理装置１００から依頼情報を受信したら（図１４、Ｓ４：ＹＥＳ）、まず周囲にいる係員を探索するために探索アンテナ１１１から認証タグ５１１を呼び出すための呼出波が送信される（Ｓ４１）。そして、認証タグ５１１からの呼出波に対する反射波の受信処理が行われる（Ｓ４２）。ここでは、所定時間（例えば、５秒間）反射波の受信が待機され、受信した反射波からＩＤコードが読み出され、ＲＡＭ１０２に記憶される。尚、このＩＤコードが記憶されるＲＡＭ１０２の記憶エリアは、呼出波を送信する際に初期化されている。
【００９３】
そして、認証タグ５１１から反射波を受信したか否かの判断が行われる（Ｓ４３）。ＲＡＭ１０２に反射波から読み出されたＩＤコードが記憶されており、かつ、そのＩＤコードが係員情報記憶エリア１０４１に記憶されていれば、係員が所持する係員カード５１０の認証タグ５１１から反射波を受信していることになる（Ｓ４３：ＹＥＳ）。そして、ＲＡＭ１０２に記憶されているＩＤコードがセットされ、依頼情報の応答先の管理番号が宛先にセットされた応答情報（図１２参照）が作成され（Ｓ４４）、送信される（Ｓ４５）。そして、依頼処理は終了し、メイン処理へ戻りＳ２へ進む。
【００９４】
また、ＲＡＭ１０２にＩＤコードが記憶されていないＩＣタグと通信を行っていたり、認証タグ５１１から反射波を受信していなかったりする場合には（Ｓ４３：ＮＯ）、周囲に係員がいないことになる。そこで、依頼情報の継続依頼先に島管理装置１００の管理番号がセットされており、次に依頼する島管理装置１００があるか否かの判断が行われる（Ｓ４６）。次に依頼する島管理装置１００があれば（Ｓ４６：ＹＥＳ）、継続依頼先の１位の島管理装置１００の管理番号が宛先にセットされた依頼情報が作成される（Ｓ４７）。尚、継続依頼先２位があれば、その管理番号が１位にセットされる。そして、依頼情報が送信され（Ｓ４８）、依頼処理は終了し、メイン処理へ戻りＳ２へ進む。
【００９５】
また、次に依頼する島管理装置１００がなければ（Ｓ４６：ＮＯ）、依頼処理は終了し、メイン処理へ戻りＳ２へ進む。
【００９６】
次に、図１７のフローチャートを参照して、応答処理（図１４，Ｓ１０）について説明する。他の島管理装置１００から応答情報を受信したら（図１４、Ｓ５：ＹＥＳ）、まず、依頼フラグがＯＮ（「１」）であるか否かの判断が行われる（Ｓ６１）。依頼フラグがＯＮでなければ（Ｓ６１：ＮＯ）、２分以内に応答情報を受信できずにすでに不在の対応をしてしまっているか、依頼情報を送信していないにもかかわらず受信した応答情報であるので、処理をする必要がない。そこで、応答処理は終了し、メイン処理へ戻りＳ２へ戻る。
【００９７】
依頼フラグがＯＮであれば（Ｓ６１：ＹＥＳ）、依頼情報を送信して応答情報の受信を待機している状態での応答情報の受信であるので、受信した応答情報に対する処理を行う必要がある。そこで、まずタイマカウンタがストップされ（Ｓ６２）、依頼フラグに「０」が記憶されて「ＯＦＦ」とされる（Ｓ６３）。そして、応答情報に記載されているＩＤコードが複数であるか否かの判断が行われる（Ｓ６４）。複数のＩＤコードが記憶されている場合には（Ｓ６４：ＹＥＳ）、近隣の島管理装置１００の周囲に複数の店員がいることになる。そこで、それらのＩＤコードの係員のレベルと優先順位が係員情報記憶エリア１０４１から読み出され（Ｓ６５）、その中で最も優先順位の高いＩＤコードの報知先（電子メールアドレス）が読み出される（Ｓ６６）。そして、読み出された電子メールアドレス宛に報知の電子メールが作成される（Ｓ６７）。そして、作成された電子メールが送信される（Ｓ６８）。そして、応答処理は終了し、メイン処理へ戻りＳ２へ進む。
【００９８】
また、受信した反射波が複数でなかった場合には（Ｓ６４：ＮＯ）、近隣の島管理装置１００周囲に一人の係員しかいない。そこで、そのＩＤコードの報知先（電子メールアドレス）が係員情報記憶エリア１０４１から読み出され（Ｓ６９）、そして、読み出された電子メールアドレス宛に報知の電子メールが作成される（Ｓ７０）。そして、作成された電子メールが送信される（Ｓ７１）。そして、応答処理は終了し、メイン処理へ戻りＳ２へ進む。
【００９９】
以上のようにして、島管理装置１００では、ＲＷ３０からエラー情報が送信された際には、周囲の係員を探索し、その係員の所持する携帯電話に報知の電子メールが送信される。
【０１００】
例えば、１０３番の島管理装置１００が設置されている遊技島２００のパチンコ機１において不正な開放が発生し、１０３番の島管理装置１００の周囲にＩＤコード「ｔｅ７９８ｒｅ４」の認証タグ５１１の係員カード５１０を所有する係員がいたとする。この場合には、ＲＷ３０においてエラー情報が１０３番の島管理装置１００へ送信される。そこで、エラー情報を受信した島管理装置１００は（図１４、Ｓ３：ＹＥＳ）、ホールコンピュータ６００へエラー情報を送信し（図１５、Ｓ２１）、探索アンテナ１１１から呼出波を送信する（Ｓ２２）。そして、受信処理を行う（Ｓ２３）。そこで、認証タグ５１１からＩＤコード「ｔｅ７９８ｒｅ４」を含む反射波のみを受信する（Ｓ２４：ＹＥＳ，Ｓ２５：ＮＯ）。そこで、係員情報記憶エリア１０４１からＩＤコード「ｔｅ７９８ｒｅ４」の電子メールアドレス「syain-3@xxxxx.ne.jp」が読み出され（Ｓ３０）、「syain-3@xxxxx.ne.jp」宛に報知の電子メールを作成して（Ｓ３１）、電子メールを送信する（Ｓ３２）。
【０１０１】
また、例えば、１０３番の島管理装置１００が設置されている遊技島２００のパチンコ機１において不正な開放が発生し、１０３番の島管理装置１００の周囲にＩＤコード「ｔｅ７９８ｒｅ４」の認証タグ５１１の係員カード５１０を所有する係員と、ＩＤコード「ａｔ４５ｅｒ４８」の認証タグ５１１の係員カード５１０を所有する係員とがいたとする。この場合には、エラー情報を受信した島管理装置１００は（図１４、Ｓ３：ＹＥＳ）、ホールコンピュータ６００へエラー情報を送信し（図１５、Ｓ２１）、探索アンテナ１１１から呼出波を送信する（Ｓ２２）。そして、受信処理を行う（Ｓ２３）。そこで、認証タグ５１１からＩＤコード「ｔｅ７９８ｒｅ４」を含む反射波とＩＤコード「ａｔ４５ｅｒ４８」を含む反射波との２つの反射波を受信する（Ｓ２４：ＹＥＳ，Ｓ２５：ＹＥＳ）。そこで、係員情報記憶エリア１０４１からＩＤコード「ｔｅ７９８ｒｅ４」のレベル「２」と優先順位「３」、ＩＤコード「ａｔ４５ｅｒ４８」のレベル「３」と優先順位「１２」が読み出される（Ｓ２６）。本実施の形態では、レベル「２」の店員とレベル「３」のアルバイトではレベル「２」の店員の方が優先度が高いのでＩＤコード「ｔｅ７９８ｒｅ４」の係員が報知先とされる。そこで、ＩＤコード「ｔｅ７９８ｒｅ４」の電子メールアドレス「syain-3@xxxxx.ne.jp」が読み出され（Ｓ３０）、「syain-3@xxxxx.ne.jp」宛に報知の電子メールを作成して（Ｓ２８）、送信する（Ｓ２９）。
【０１０２】
また、例えば、１０３番の島管理装置１００が設置されている遊技島２００のパチンコ機１において不正な開放が発生し、１０３番の島管理装置１００の周囲に係員はおらず、その近隣の島管理装置１００では１０２番の島管理装置１００の周囲にＩＤコード「ａ７ｔ８ｅｂ４ｒ」，「ｔｅ７９８ｒｅ４」，「ａ７ｔｅ８６ｗｅ」の認証タグ５１１の係員カード５１０を所有する３人の係員がいたとする。この場合には、エラー情報を受信した島管理装置１００は（図１４、Ｓ３：ＹＥＳ）、ホールコンピュータ６００へエラー情報を送信し（図１５、Ｓ２１）、探索アンテナ１１１から呼出波を送信する（Ｓ２２）。そして、受信処理を行う（Ｓ２３）。しかし、島管理装置１００の周囲に係員はいないので（Ｓ２４：ＮＯ）、依頼フラグをＯＮとし（Ｓ３３）、タイマカウンタをスタートさせる（Ｓ３４）。そして、応答先「１０３」、宛先「１０２」、継続依頼先１位「１０１」とした依頼情報と、応答先「１０３」、宛先「１０４」、継続依頼先１位「１０５」、２位「１０６」とした依頼情報（図９の第１依頼情報１２１参照）とを作成する（Ｓ３５）。そして、２つの依頼情報を送信する（Ｓ３６）。そして、メイン処理のＳ２へ進み、応答情報の受信を待機するのでＳ２〜Ｓ６，Ｓ１６，Ｓ１７：ＮＯの処理が繰り返し実施される。
【０１０３】
ところで、依頼情報を受信した１０２番の島管理装置１００では（図１４、Ｓ４：ＹＥＳ）、探索アンテナ１１１から呼出波を送信し（図１６、Ｓ４１）、受信処理を行う（Ｓ４２）。そこで、ＩＤコード「ａ７ｔ８ｅｂ４ｒ」を含む反射波，ＩＤコード「ｔｅ７９８ｒｅ４」を含む反射波，ＩＤコード「ａ７ｔｅ８６ｗｅ」を含む反射波の３つの反射波を受信する（Ｓ４３：ＹＥＳ）。そこで、「ａ７ｔ８ｅｂ４ｒ」，「ｔｅ７９８ｒｅ４」，「ａ７ｔｅ８６ｗｅ」がＩＤコードにセットされ、宛先に１０３番がセットされた応答情報（図１２の応答情報１３１参照）が作成される（Ｓ４４）。そして、１０３番の島管理装置１００へ応答情報を送信する（Ｓ４５）。
【０１０４】
そして、この応答情報を受信した１０３番の島管理装置１００では（図１４、Ｓ５：ＹＥＳ）、まず、依頼フラグがＯＮとなっているので（図１７、Ｓ６１：ＹＥＳ）、依頼フラグをＯＦＦとし（Ｓ６２）、タイマカウンタをストップする（Ｓ６３）。そして、応答情報に記載されているＩＤコードは３つあるので（Ｓ６４：ＹＥＳ）、それらのＩＤコードの係員のレベルと優先順位が係員情報記憶エリア１０４１から読み出される（Ｓ６５）。ＩＤコード「ａ７ｔ８ｅｂ４ｒ」のレベルは「２」、優先順位は「１」，ＩＤコード「ｔｅ７９８ｒｅ４」のレベルは「２」、優先順位は「３」，ＩＤコード「ａ７ｔｅ８６ｗｅ」のレベルは「３」、優先順位は「１２」である。そこで、レベル「２」の店員のうちの優先順位の高いＩＤコード「ａ７ｔ８ｅｂ４ｒ」の報知先「syain-1@xxxxx.ne.jp」を読み出す（Ｓ６６）。そして、「syain-1@xxxxx.ne.jp」宛に報知の電子メールを作成して（Ｓ６７）、送信する（Ｓ６８）。
【０１０５】
また、第１依頼情報１２１を受信した１０４番の島管理装置１００では（図１４、Ｓ４：ＹＥＳ）、探索アンテナ１１１から呼出波を送信し（図１６、Ｓ４１）、受信処理を行うが（Ｓ４２）、周囲に係員がいない（Ｓ４３：ＮＯ）。しかし、第１依頼情報１２１の継続依頼先には１位「１０５」、２位「１０６」がセットされているので（Ｓ４６：ＹＥＳ）、応答先「１０３」、宛先を「１０５」、継続依頼先１位を「１０６」とした依頼情報（図１０の第２依頼情報１２２参照）を作成し（Ｓ４７）、送信する（Ｓ４８）。
【０１０６】
そして、第２依頼情報１２２を受信した１０５番の島管理装置１００では（図１４、Ｓ４：ＹＥＳ）、探索アンテナ１１１から呼出波を送信し（図１６、Ｓ４１）、受信処理を行うが（Ｓ４２）、周囲に係員がいない（Ｓ４３：ＮＯ）。しかし、第１依頼情報１２１の継続依頼先には１位「１０６」がセットされているので（Ｓ４６：ＹＥＳ）、応答先「１０３」、宛先を「１０６」とし、継続依頼先をセットしない依頼情報（図１０の第３依頼情報１２３参照）を作成し（Ｓ４７）、送信する（Ｓ４８）。
【０１０７】
そして、第３依頼情報１２３を受信した１０６番の島管理装置１００では（図１４、Ｓ４：ＹＥＳ）、探索アンテナ１１１から呼出波を送信し（図１６、Ｓ４１）、受信処理を行うが（Ｓ４２）、周囲に係員がいない（Ｓ４３：ＮＯ）。さらに継続依頼先がない依頼情報なので（Ｓ４６：ＮＯ）、何もせずに依頼処理を終了する。
【０１０８】
６−３．実施の形態の効果
以上のようにして、第１の実施の形態では、パチンコ機１に異常が発生し、島管理装置１００へエラー情報が送信された際には、島管理装置１００が係員カード５１０の認証タグ５１１を探索することにより、係員の存在を探索し、その係員の所持する携帯電話へ異常発生の電子メールを送信して、報知を行うことができる。よって、異常の発生したパチンコ機１の近くにいる係員が迅速に対応することができる。
【０１０９】
また、異常の発生したパチンコ機１が設置されている遊技島２００の島管理装置１００の周囲に係員がいなかった場合であっても、その２つ隣までの島管理装置１００へ依頼情報を送信することにより、近くにいる係員を探索することができるので、異常の発生したパチンコ機１の近くにいる係員が迅速に対応することができる。また、２つ隣までの島管理装置１００の周囲に係員がいない場合には、予め登録されている電子メールアドレス宛てに報知の電子メールが送信されるので、近くに係員がいない場合であっても異常の発生を担当の係員が知り、対処することができる。
【０１１０】
７．第２の実施の形態
７−１．異常発生報知に係るデータの説明
まず、図１８乃至図２０を参照して、第２の実施の形態において、島管理装置１００へＲＷ３０から「エラー情報」が送信されてきた際に、島管理装置１００の周囲の係員（認証タグ５１１）を探索しても探索されなかった場合に、近隣の島管理装置１００と送受信される各種データについて説明する。
【０１１１】
第２の実施の形態では、遊技場内において島管理装置１００が管理番号の順に配置されているとする。例えば、一番壁側の島管理装置１００が１０１番であるとすると、その隣が１０２番、その隣が１０３番と言うように配置されている。本第２の実施の形態では、１５棟の遊技島２００が設置され、それぞれに１０１番から１１５番までの１５個の島管理装置１００が設置されているとする。そこで、第２の実施の形態では、異常の発生した遊技島２００の島管理装置１００において、係員（認証タグ５１１）が探索されなかった場合には、まず、隣（管理番号＋１）の島管理装置１００へ、係員の探索を依頼する依頼情報１６１（図１８参照）が送信される。そして、依頼を受けた島管理装置１００では、係員が探索されると、異常報知の電子メールが探索された係員の携帯電話５２０へ送信され、依頼元の島管理装置１００へ異常報知を行った旨を示す報知済情報１７１（図１９参照）が送信される。
【０１１２】
また、係員が探索されなければ、その旨を示す探索不能情報１８１（図２０参照）が送信される。依頼元の島管理装置１００では、探索不能情報を受信すると反対側の隣の島管理装置１００へ依頼情報を送信する。依頼情報を送信する順は、異常が発生した島管理装置１００の管理番号が１０７番だとすると、１０８番、１０６番、１０９番、１０５番、１１０番、１０４番、１１１番、１０３番、１１２番、１０２番、１１３番、１０１番、１１４番、１１５番である。尚、島管理装置情報記憶エリア１０４３ではこれらの管理番号に対応して、データ送信のためのアドレス等が記憶されている。
【０１１３】
図１８は、依頼情報１６１の模式図であり、図１９は、報知済情報１７１の模式図であり、図２０は、探索不能情報１８１の模式図である。図１８乃至図２０に示す例は、管理番号１０７の島管理装置１００で異常が発生した場合である。
【０１１４】
図１８に示すように、依頼情報１６１には、区分、宛先、応答先がセットされている。「区分」は、この情報が依頼情報であることを示すコードであり「１」がセットされており、「宛先」は、この依頼情報の送信先の島管理装置１００の管理番号がセットされ、「応答先」は、依頼に対する応答をする島管理装置１００の管理番号がセットされる。図１８に示す例では「宛先」に「１０８」がセットされ、「応答先」に「１０７」がセットされている。
【０１１５】
図１９に示すように、報知済情報１７１には、区分、宛先がセットされている。「区分」は、この情報が報知済情報であることを示すコードである「２」がセットされる。「宛先」は、依頼情報の「応答先」にセットされていた島管理装置１００の管理番号がセットされる。図１９に示す例では、「宛先」に「１０７」がセットされている。
【０１１６】
図２０に示すように、探索不能情報１８１には、区分、宛先がセットされている。「区分」は、この情報が探索不能情報であることを示すコードである「３」がセットされる。「宛先」は、依頼情報の「応答先」にセットされていた島管理装置１００の管理番号がセットされる。図２０に示す例では、「宛先」に「１０７」がセットされている。
【０１１７】
７−２．島管理装置の報知動作の説明
次に、図２１乃至図２４のフローチャートを参照して、第２の実施の形態における島管理装置１００の報知動作の説明をする。図２１はメイン処理のフローチャートであり、図２２は、メイン処理で行われる報知処理のフローチャートであり、図２３は、メイン処理で行われる依頼処理のフローチャートであり、図２４は、メイン処理で行われる依頼中処理のフローチャートである。
【０１１８】
島管理装置１００は、遊技場の開店前の所定時間にホールコンピュータ６００からの指示により起動する。そして、自身の動作確認等の初期処理が行われる（Ｓ１０１）。そして、作業情報をＲＷ３０から受信した場合には（Ｓ１０２：ＹＥＳ）、その作業情報が店内ネットワーク１５０によりホールコンピュータ６００へ送信され（Ｓ１０７）、Ｓ１０２へ戻る。また、エラー情報をＲＷ３０から受信した場合には（Ｓ１０２：ＮＯ，Ｓ１０３：ＹＥＳ）、異常発生を報知する必要があるので報知処理が行われ（Ｓ１０８、図２２参照）、Ｓ１０２へ戻る。報知処理については、図２２を参照して後述するが、ここでは、ホールコンピュータ６００へエラー情報が送信されると共に、周囲の係員が探索され、探索された係員に対して報知の電子メールが送信される。また、周囲に係員がおらず探索されなかった場合には隣の島管理装置１００へ依頼情報を送信してさらに係員の探索が行われる。
【０１１９】
また、依頼情報を他の島管理装置１００から受信した場合には（Ｓ１０２：ＮＯ，Ｓ１０３：ＮＯ，Ｓ１０４：ＹＥＳ）、その依頼に応えて依頼処理が行われ（Ｓ１０９、図２３参照）、Ｓ１０２へ戻る。依頼処理については、図２３を参照して後述するが、ここでは、周囲の係員の探索が行われ、係員が探索された場合には、探索された係員に対して報知の電子メールが送信され、報知済情報が依頼元の島管理装置１００へ送信される。また、係員が探索されなかった場合には、探索不能情報が依頼元の島管理装置１００へ送信される。
【０１２０】
作業情報、エラー情報、依頼情報を受信しない場合には（Ｓ１０２：ＮＯ，Ｓ１０３：ＮＯ，Ｓ１０４：ＮＯ）、依頼フラグが「ＯＮ」であるか否かの判断が行われる（Ｓ１０６）。この依頼フラグは、報知処理において隣の島管理装置１００へ依頼情報を送信した場合に「ＯＮ」（「１」）とされている。そこで、依頼フラグが「ＯＮ」であれば（Ｓ１０６：ＹＥＳ）、依頼中処理が行われる（Ｓ１１０、図２４参照）。この依頼中処理については、図２４を参照して後述するが、ここでは、依頼情報に対する処理、報知済情報や探索不能情報の受信処理が行われ、探索不能情報を受信したり所定時間（例えば、２０秒）以内に報知済情報を受信しない際に、次の島管理装置１００へ依頼情報を送信する処理が行われる。
【０１２１】
また、依頼フラグが「ＯＮ」でなければ（Ｓ１０６：ＮＯ）、その他の処理が行われる（Ｓ１１５）。そして、終了の指示をホールコンピュータ６００から受信したか否かの判断が行われ（Ｓ１１６）、受信していなければ（Ｓ１１６：ＮＯ）、Ｓ１０２へ戻り、繰り返しＳ１０２〜Ｓ１０６，Ｓ１１６の判断処理が行われ、それに応じた処理が行われる。尚、終了指示をホールコンピュータ６００から受信したら（Ｓ１１６：ＹＥＳ）、終了処理が行われて（Ｓ１１７）、本処理は終了し、島管理装置１００は電源ＯＦＦされる。
【０１２２】
次に、図２２のフローチャートを参照して、報知処理（図２１，Ｓ１０８）について説明する。ＲＷ３０からエラー情報を受信したら（図２１、Ｓ１０３：ＹＥＳ）、まずホールコンピュータ６００へそのエラー情報が送信される（Ｓ１２１）。そして、周囲にいる係員を探索するために探索アンテナ１１１から認証タグ５１１を呼び出すための呼出波が送信される（Ｓ１２２）。そして、認証タグ５１１からの呼出波に対する反射波の受信処理が行われる（Ｓ１２３）。ここでは、所定時間（例えば、５秒間）反射波の受信が待機され、受信した反射波からＩＤコードが読み出され、ＲＡＭ１０２に記憶される。尚、このＩＤコードが記憶されるＲＡＭ１０２の記憶エリアは、呼出波を送信する際に初期化されている。
【０１２３】
そして、認証タグから反射波を受信したか否かの判断が行われる（Ｓ１２４）。ＲＡＭ１０２に反射波から読み出されたＩＤコードが記憶されており、かつ、そのＩＤコードが係員情報記憶エリア１０４１に記憶されていれば、係員が所持する係員カード５１０の認証タグ５１１から反射波を受信していることになる（Ｓ１２４：ＹＥＳ）。そして、受信した反射波は複数であったか否かが判断される（Ｓ１２５）。ＲＡＭ１０２に記憶されているＩＤコードが複数であれば、複数の反射波を受信しているので（Ｓ１２５：ＹＥＳ）、島管理装置１００の周囲に複数の店員がいることになる。そこで、それらのＩＤコードの係員のレベルと優先順位が係員情報記憶エリア１０４１から読み出され（Ｓ１２６）、その中で最も優先順位の高いＩＤコードの報知先（電子メールアドレス）が読み出される（Ｓ１２７）。そして、読み出された電子メールアドレス宛に報知の電子メールが作成される（Ｓ１２８）。そして、作成された電子メールが送信される（Ｓ１２９）。そして、報知処理は終了し、メイン処理へ戻りＳ１０２へ進む。
【０１２４】
また、受信した反射波が複数でなかった場合には（Ｓ１２５：ＮＯ）、周囲に一人の係員しかおらず、１つの認証タグ５１１しか応答せずに、ＲＡＭ１０２に１つのＩＤコードしか記憶されていない。そこで、そのＩＤコードの報知先（電子メールアドレス）が係員情報記憶エリア１０４１から読み出され（Ｓ１３０）、そして、読み出された電子メールアドレス宛に報知の電子メールが作成される（Ｓ１３１）。そして、作成された電子メールが送信される（Ｓ１３２）。そして、報知処理は終了し、メイン処理へ戻りＳ１０２へ進む。
【０１２５】
また、ＲＡＭ１０２にＩＤコードが記憶されていないＩＣタグと通信を行っていたり、認証タグ５１１から反射波を受信していなかったりする場合には（Ｓ１２４：ＮＯ）、周囲に係員がいないことになるので、近隣の島管理装置１００へ係員の探索を依頼する必要がある。そこで、まず、依頼フラグに「１」が記憶されて「ＯＮ」とされる（Ｓ１３３）。そして、タイマカウンタがスタートされる（Ｓ１３４）。そして、依頼情報送信管理のための変数ｐ、ｍ、Ｎ、ｎに値がセットされる（Ｓ１３５）。
【０１２６】
変数ｐの初期値は「０」、一番端の島管理装置１００まで依頼情報が送信される毎に「１」が加算され、一方の端まで送信された場合には「１」、両方の端まで送信された場合、すなわち全ての島管理装置１００へ送信された場合には「２」となっている。また、変数ｎは、依頼情報を送信する島管理装置１００の管理番号を示す変数である。変数ｍは、自身から何台離れた島管理装置１００であるかを示す変数であり、変数ｎを決定するための変数として使用される。また、変数Ｎは自身の管理番号がセットされる。尚、変数ｍの初期値は「１」、変数ｎの初期値は「Ｎ＋ｍ」とされる。したがって、まず自身の管理番号よりも１番大きい番号の島管理装置１００へ依頼情報が送信されることになる。
【０１２７】
そして、管理番号がｎ、即ち自身の管理番号よりも１番大きい番号である島管理装置１００への依頼情報が作成、送信される（Ｓ１３６）。そして、報知処理は終了し、メイン処理へ戻りＳ１０２へ進む。
【０１２８】
次に、図２３のフローチャートを参照して、依頼処理（図２１、Ｓ１０９）について説明する。他の島管理装置１００から依頼情報を受信したら（図２１、Ｓ１０４：ＹＥＳ）、まず周囲にいる係員を探索するために探索アンテナ１１１から認証タグ５１１を呼び出すための呼出波が送信される（Ｓ１４１）。そして、認証タグ５１１からの呼出波に対する反射波の受信処理が行われる（Ｓ１４２）。ここでは、所定時間（例えば、５秒間）反射波の受信が待機され、受信した反射波からＩＤコードが読み出され、ＲＡＭ１０２に記憶される。尚、このＩＤコードが  記憶されるＲＡＭ１０２の記憶エリアは、呼出波を送信する際に初期化されている。
【０１２９】
そして、認証タグ５１１から反射波を受信したか否かの判断が行われる（Ｓ１４３）。ＲＡＭ１０２に反射波から読み出されたＩＤコードが記憶されており、かつ、そのＩＤコードが係員情報記憶エリア１０４１に記憶されていれば、係員が所持する係員カード５１０の認証タグ５１１から反射波を受信していることになる（Ｓ１４３：ＹＥＳ）。そして、受信した反射波は複数であったか否かが判断される（Ｓ１４４）。ＲＡＭ１０２に記憶されているＩＤコードが複数であれば、複数の反射波を受信しているので（Ｓ１４４：ＹＥＳ）、島管理装置１００の周囲に複数の店員がいることになる。そこで、それらのＩＤコードの係員のレベルと優先順位が係員情報記憶エリア１０４１から読み出され（Ｓ１４５）、その中で最も優先順位の高いＩＤコードの報知先（電子メールアドレス）が読み出される（Ｓ１４６）。そして、読み出された電子メールアドレス宛に報知の電子メールが作成、送信される（Ｓ１４７）。そして、報知の電子メールを送信したことを示す報知済情報が、依頼情報の「応答先」の島管理装置１００の管理番号を宛先として作成、送信される（Ｓ１４８）。そして、依頼処理は終了し、メイン処理へ戻りＳ１０２へ進む。
【０１３０】
また、受信した反射波が複数でなかった場合には（Ｓ１４４：ＮＯ）、周囲に一人の係員しかおらず、１つの認証タグ５１１しか応答せずに、ＲＡＭ１０２に１つのＩＤコードしか記憶されていない。そこで、そのＩＤコードの報知先（電子メールアドレス）が係員情報記憶エリア１０４１から読み出され（Ｓ１４９）、そして、読み出された電子メールアドレス宛に報知の電子メールが作成、送信される（Ｓ１５０）。そして、報知の電子メールを送信したことを示す報知済情報が、依頼情報の「応答先」の島管理装置１００の管理番号を宛先として作成、送信される（Ｓ１５１）。そして、依頼処理は終了し、メイン処理へ戻りＳ１０２へ進む。
【０１３１】
また、ＲＡＭ１０２にＩＤコードが記憶されていないＩＣタグと通信を行っていたり、認証タグ５１１から反射波を受信していなかったりする場合には（Ｓ１４３：ＮＯ）、周囲に係員がいないことになるので、その旨を示す探索不能情報が、依頼情報の「応答先」の島管理装置１００の管理番号を宛先として作成、送信される（Ｓ１５２）。そして、依頼処理は終了し、メイン処理へ戻りＳ１０２へ進む。
【０１３２】
次に、図２４を参照して、依頼中処理（図２１、Ｓ１１０）について説明する。いずれの情報も受信せずに（Ｓ１０２：ＮＯ、Ｓ１０３：ＮＯ、Ｓ１０４：ＮＯ）、依頼フラグが「ＯＮ」であれば（Ｓ１０６：ＹＥＳ）、まず、タイマカウンタが１０秒を経過しているか否かの判断が行われる（Ｓ１６１）。１０秒経過していなければ（Ｓ１６１：ＮＯ）、まだ報知済情報又は探索不能情報の受信を待機するので、報知済情報を受信したか否かの判断（Ｓ１６２）及び探索不能情報を受信したか否かの判断が行われる（Ｓ１６３）。報知済情報が受信された場合には（Ｓ１６２：ＹＥＳ）、異常発生の報知はすでに行われたということなので、タイマカウンタが停止され（Ｓ１６４）、依頼フラグが「ＯＦＦ」される（Ｓ１６５）。そして、メイン処理へ戻りＳ１０２へ進む。
【０１３３】
また、探索不能情報を受信した場合には（Ｓ１６２：ＮＯ、Ｓ１６３：ＹＥＳ）、依頼した島管理装置１００において係員が探索されなかったということなので、他の島管理装置へ依頼情報を送信する必要がある。そこで、まず、変数ｐの値が「２」であるか否かの判断が行われる（Ｓ１６６）。変数ｐの値が「２」でなければ（Ｓ１６６：ＮＯ）、まだ依頼をしていない島管理装置１００が存在するので、Ｓ１６７へ進む。変数ｐの値が「２」であれば（Ｓ１６６：ＹＥＳ）、すでに全ての島管理装置１００へ依頼済であり、そのどこにも係員が探索されなかったということになるので、不在時アドレス記憶エリア１０４２に予め記憶されている電子メールアドレスが読み出され（Ｓ１９１）、その電子メールアドレス宛てに報知の電子メールが作成され、送信される（Ｓ１９２）。そして、メイン処理へ戻りＳ１０２へ進む。
【０１３４】
尚、Ｓ１６７では、まず、変数ｎ（前回依頼情報を送信した島管理装置１００の管理番号）が自身の管理番号Ｎよりも大きいか否かの判断が行われる（Ｓ１６７）。大きい場合には（Ｓ１６７：ＹＥＳ）、自身の管理番号Ｎよりも管理番号が小さい側の島管理装置１００のうち、まだ依頼情報を送信していない島管理装置１００で一番近い島管理装置１００に依頼情報を送信したい。そこで、変数ｎに自身の管理番号Ｎから変数ｍの値を引いた値がセットされる（Ｓ１７１）。例えば、自身の管理番号が「１０７」であり、変数ｎが「１０８」の際には、変数ｍは「１」となっているので、新たな変数ｎは「１０７−１＝１０６」となる。
【０１３５】
そして、新たな変数ｎの値が管理番号の最小値ＭＩＮよりも小さいか否かの判断が行われる（Ｓ１７２）。新たな変数ｎの値が最小の管理番号（ＭＩＮ）よりも小さくなければ（Ｓ１７２：ＮＯ）、タイマカウンタが再スタートされ（Ｓ１７３）、管理番号がｎである島管理装置１００への依頼情報が作成、送信される（Ｓ１７４）。そして、報知処理は終了し、メイン処理へ戻りＳ１０２へ進む。
【０１３６】
また、新たな変数ｎの値が最小の管理番号よりも小さければ（Ｓ１７２：ＹＥＳ）、その管理番号の島管理装置１００は存在せず、そちら側の端まで依頼が完了したことになる。そこで、変数ｐに「１」が加算される（Ｓ１７５）。ここで、変数ｐの値が「２」となった場合には（Ｓ１７６：ＹＥＳ）、全ての島管理装置１００へ依頼済みであるということなので、Ｓ１９１へ進み、不在時アドレス記憶エリア１０４２に予め記憶されている電子メールアドレスが読み出され（Ｓ１９１）、その電子メールアドレス宛てに報知の電子メールが作成され、送信される（Ｓ１９２）。そして、メイン処理へ戻りＳ１０２へ進む。変数ｐの値が「２」となっていなければ（Ｓ１７６：ＮＯ）、まだ依頼していない島管理装置１００があるので、次の島管理装置１００として、反対側の島管理装置１００で依頼情報を送信しておらず一番近いものへ依頼情報を送信するために、Ｓ１８０へ進む。
【０１３７】
また、Ｓ１６７において、変数ｎが自身の管理番号Ｎよりも大きくないと判断された場合には（Ｓ１６７：ＮＯ）、自身の管理番号Ｎよりも管理番号が大きい側の島管理装置１００のうち、まだ依頼情報を送信していない島管理装置１００で一番近い島管理装置１００に依頼情報を送信したい。そこで、前回依頼情報を送信した島管理装置１００が自身から何台離れているかを示す変数ｍに「１」が加算され（Ｓ１８０）、変数ｎに自身の管理番号Ｎに変数ｍの値を加算した値がセットされる（Ｓ１８１）。
【０１３８】
そして、新たな変数ｎの値が管理番号の最大値ＭＡＸよりも大きいか否かの判断が行われる（Ｓ１８２）。新たな変数ｎの値が最大の管理番号（ＭＡＸ）よりも大きくなければ（Ｓ１８２：ＮＯ）、タイマカウンタが再スタートされ（Ｓ１７３）、管理番号がｎである島管理装置１００への依頼情報が作成、送信される（Ｓ１８４）。そして、依頼中処理は終了し、メイン処理へ戻りＳ１０２へ戻る。
【０１３９】
また、新たな変数ｎの値が最大の管理番号よりも大きければ（Ｓ１８２：ＹＥＳ）、その管理番号の島管理装置１００は存在せず、そちら側の端まで依頼が完了したことになる。そこで、変数ｐに「１」が加算される（Ｓ１８５）。ここで、変数ｐの値が「２」となった場合には（Ｓ１８６：ＹＥＳ）、全ての島管理装置１００へ依頼済みであるということなので、Ｓ１９１へ進み、不在時アドレス記憶エリア１０４２に予め記憶されている電子メールアドレスが読み出され（Ｓ１９１）、その電子メールアドレス宛てに報知の電子メールが作成され、送信される（Ｓ１９２）。そして、メイン処理へ戻りＳ１０２へ進む。変数ｐの値が「２」となっていなければ（Ｓ１８６：ＮＯ）、まだ依頼していない島管理装置１００があるので、そして、次の島管理装置１００として、反対側の島管理装置１００で依頼情報を送信しておらず一番近いものへ依頼情報を送信するために、Ｓ１７１へ進む。
【０１４０】
以上のようにして、第２の実施の形態では、島管理装置１００では、ＲＷ３０からエラー情報が送信された際には、周囲の係員を探索し、その係員の所持する携帯電話に報知の電子メールが送信される。また、係員が探索されなかった場合には、その他の島管理装置１００へ自身から近い順に依頼情報を送信して係員の探索を行い、係員が探索された場合には、探索した島管理装置１００において報知の電子メールが送信される。
【０１４１】
例えば、番号１１４の島管理装置１００が設置されている遊技島２００のパチンコ機１において不正な開放が発生し、１１２〜１１５番の島管理装置１００の周囲に係員はおらず、その近隣の島管理装置１００では１１２番の島管理装置１００の周囲にＩＤコード「ａ７ｔ８ｅｂ４ｒ」の認証タグ５１１の係員カード５１０を所有する係員がいたとする。
【０１４２】
この場合には、エラー情報を受信した島管理装置１００は（図２１、Ｓ１０３：ＹＥＳ）、ホールコンピュータ６００へエラー情報を送信し（図２２、Ｓ１２１）、探索アンテナ１１１から呼出波を送信する（Ｓ１２２）。そして、受信処理を行う（Ｓ１２３）。しかし、島管理装置１００の周囲に係員はいないので（Ｓ１２４：ＮＯ）、依頼フラグをＯＮとし（Ｓ１３３）、タイマカウンタをスタートさせる（Ｓ１３４）。そして、変数ｐに「０」、変数ｍに「１」、変数Ｎに「１１４」、変数ｎに「１１４＋１＝１１５」がセットされる（Ｓ１３５）。そして、１０８番の島管理装置１００へ区分「１」、宛先「１１５」、送信元「１１４」の依頼情報（図１８参照）が送信される（Ｓ１３６）。
【０１４３】
ところで、依頼情報を受信した１０８番の島管理装置１００では（図２１、Ｓ１０４：ＹＥＳ）、探索アンテナ１１１から呼出波を送信し（図２２、Ｓ１４１）、受信処理を行う（Ｓ１４２）。そこで、１０８番の島管理装置１００の周囲に係員はいないので（Ｓ１４３：ＮＯ）、宛先「１０８」の探索不能情報（図２０参照）を作成、送信する（Ｓ１５２）。
【０１４４】
そこで、１１４番の島管理装置１００では、探索不能情報を受信する（図２１、Ｓ１０６：ＹＥＳ，Ｓ１１０、図２４、Ｓ１６１：ＮＯ，Ｓ１６２：ＮＯ，Ｓ１６３：ＹＥＳ）。変数ｐは「０」のままであり（Ｓ１６６：ＮＯ）、変数ｎ「１１５」＞変数Ｎ「１１４」であるので（Ｓ１６７：ＹＥＳ）、変数ｎに「１１４−１＝１１３」がセットされ（Ｓ１７１）、タイマカウンタが再スタートして（Ｓ１７３）、変数ｎ「１１３」＞最小管理番号「１０１」なので（Ｓ１７２：ＮＯ）、１１３番の島管理装置１００へ区分「１」、宛先「１１３」、送信元「１１４」の依頼情報を送信する（Ｓ１７４）。
【０１４５】
依頼情報を受信した１１３番の島管理装置１００では（図２１、Ｓ１０４：ＹＥＳ）、探索アンテナ１１１から呼出波を送信し（図２２、Ｓ１４１）、受信処理を行う（Ｓ１４２）。そこで、１１４番の島管理装置１００の周囲に係員はいないので（Ｓ１４３：ＮＯ）、宛先「１１４」の探索不能情報（図２０参照）を作成、送信する（Ｓ１５２）。
【０１４６】
そこで、１１４番の島管理装置１００では、探索不能情報を受信する（図２１、Ｓ１０６：ＹＥＳ，Ｓ１１０、図２４、Ｓ１６１：ＮＯ，Ｓ１６２：ＮＯ，Ｓ１６３：ＹＥＳ）。変数ｐは「０」のままであり（Ｓ１６６：ＮＯ）、変数ｎ「１１３」＜変数Ｎ「１１４」であるので（Ｓ１６７：ＮＯ）、変数ｍに「１」が加算されて「１＋１＝２」となり（Ｓ１８０）、変数ｎに「１１４＋２＝１１６」がセットされるが（Ｓ１８１）、変数ｎ「１１６」＞最大管理番号「１１５」であるので（Ｓ１８２：ＹＥＳ）、変数ｐに「１」が加算される（Ｓ１８５）。変数ｐに「１」が加算されて「１」となる（Ｓ１８５）。変数ｐは「２」でないので（Ｓ１８６：ＮＯ）、Ｓ１７１へ進み、変数ｎに「１１４−２＝１１２」がセットされて（Ｓ１７１）、変数ｎ「１１２」＞最小管理番号「１０１」なので（Ｓ１７２：ＮＯ）、タイマカウンタがスタートされ（Ｓ１７３）、１１２番の島管理装置１００へ区分「１」、宛先「１１２」、送信元「１１４」の依頼情報を送信する（Ｓ１７４）。
【０１４７】
依頼情報を受信した１１２番の島管理装置１００では（図２１、Ｓ１０４：ＹＥＳ）、探索アンテナ１１１から呼出波を送信し（図２２、Ｓ１４１）、受信処理を行う（Ｓ１４２）。そこで、１１２番の島管理装置１００の周囲にはＩＤコード「ａ７ｔ８ｅｂ４ｒ」の認証タグ５１１の係員カード５１０を所有する係員がいるので、ＩＤコード「ａ７ｔ８ｅｂ４ｒ」を含む反射波を受信する（Ｓ１４３：ＹＥＳ）。受信した反射波は１つなので（Ｓ１４４：ＮＯ）、ＩＤコード「ａ７ｔ８ｅｂ４ｒ」の報知先（電子メールアドレス「syain-1@xxxxx.ne.jp」）が係員情報記憶エリア１０４１から読み出され（Ｓ１４９）、そして、読み出された電子メールアドレス「syain-1@xxxxx.ne.jp」宛に報知の電子メールが作成、送信される（Ｓ１５０）。そして、報知の電子メールを送信したことを示す報知済情報が、依頼情報の送信元の島管理装置１００の管理番号を宛先として作成、送信される（Ｓ１５１）。
【０１４８】
１１４番の島管理装置１００では、１１２番の島管理装置１００が送信した報知済情報を受信したら（図２１、Ｓ１０６：ＹＥＳ，Ｓ１１０、図２４、Ｓ１６１：ＮＯ，Ｓ１６２：ＹＥＳ）、タイマカウンタをストップさせ（Ｓ１６４）、依頼フラグを「ＯＦＦ」する（Ｓ１６５）。
【０１４９】
このようにして、ＲＷ３０からエラー情報を受信した場合には、まず、自身の周囲にいる係員を探索して、異常発生の報知の電子メールが送信される。係員が探索されなかった場合には、まず自身の管理番号よりも１番大きい番号（Ｎ＋ｍ，ｍ＝１）の島管理装置１００へ依頼情報が送信され、その島管理装置１００の周囲に係員が探索されれば、その島管理装置１００が異常発生の報知の電子メールが送信される。しかし、Ｎ＋１番目の島管理装置１００においても係員が探索されなかった場合には、自身の管理番号よりも１番小さい番号（Ｎ−１，ｍ＝１）の島管理装置１００へ依頼情報が送信され、その島管理装置１００の周囲に係員が探索されれば、その島管理装置１００が異常発生の報知の電子メールが送信される。しかし、Ｎ−１番目の島管理装置１００においても係員が探索されなかった場合には、自身の管理番号よりも２番大きい番号（Ｎ＋ｍ，ｍ＝２）の島管理装置１００へ依頼情報が送信され、その島管理装置１００の周囲に係員が探索されれば、その島管理装置１００が異常発生の報知の電子メールが送信される。このように、島管理装置１００（遊技島２００）の距離関係に沿って島管理装置１００の管理番号を割り当てているので、自身に近い島管理装置１００から順に係員探索の依頼をすることができる。
【０１５０】
７−３．実施の形態の効果
したがって、第２の実施の形態では、パチンコ機１に異常が発生し、島管理装置１００へエラー情報が送信された際には、島管理装置１００が係員カード５１０の認証タグ５１１を探索することにより、係員の存在を探索し、その係員の所持する携帯電話へ異常発生の電子メールを送信して、報知を行うことができる。よって、異常の発生したパチンコ機１の近くにいる係員が迅速に対応することができる。
【０１５１】
また、異常の発生したパチンコ機１が設置されている遊技島２００の島管理装置１００の周囲に係員がいなかった場合であっても、近い島管理装置１００から順に依頼情報を送信して、その島管理装置１００の近くにいる係員を探索し、係員に電子メールを送信して報知を行うことができるので、異常の発生したパチンコ機１の近くにいる係員が迅速に対応することができる。
【０１５２】
８．請求項との対比
尚、上記第１の実施の形態及び第２の実施の形態の係員情報記憶エリア１０４１が「連絡先記憶手段」に該当し、係員情報記憶エリア１０４１のレベル欄及び優先順位欄が「優先順位記憶手段」に該当し、不在時アドレス記憶エリア１０４２が「不在時連絡先記憶手段」に該当する。第１の実施の形態の依頼先情報記憶エリア１０４４が「距離情報記憶手段」に該当し、第２の実施の形態では、管理番号が島管理装置１００の距離関係を示しているので、管理番号を記憶している島管理装置情報記憶エリア１０４３が「距離情報記憶手段」に該当する。また、ＲＦ回路１０８が「認証タグ通信手段」に該当する。
【０１５３】
また、第１の実施の形態の報知処理（図１５）のＳ２２〜Ｓ２５の処理を行うＣＰＵ１０１、第２の実施の形態の報知処理（図２２）のＳ１２２〜Ｓ１２４の処理を行うＣＰＵ１０１が「探索手段」に相当する。また、第１の実施の形態のメイン処理（図１４）のＳ３，Ｓ８（報知処理のＳ２２〜Ｓ２５）の処理を行うＣＰＵ１０１、第２の実施の形態のメイン処理（図２１）のＳ１０３，Ｓ１０８（報知処理のＳ１２２〜Ｓ１２４）の処理を行うＣＰＵ１０１が「第１探索制御手段」に相当する。また、第１の実施の形態の報知処理のＳ２８，Ｓ２９，Ｓ３１，Ｓ３２の処理を行うＣＰＵ１０１、第２の実施の形態の報知処理のＳ１２８，Ｓ１２９，Ｓ１３１，Ｓ１３２の処理を行うＣＰＵ１０１が「報知手段」に相当する。また、第１の実施の形態の報知処理のＳ２６〜Ｓ３２の処理を行うＣＰＵ１０１、第２の実施の形態の報知処理のＳ１２６〜Ｓ１３２の処理を行うＣＰＵ１０１が「第１報知制御手段」に相当する。
【０１５４】
また、第１の実施の形態の報知処理のＳ３５，Ｓ３６の処理を行うＣＰＵ１０１、第２の実施の形態の報知処理のＳ１３６の処理を行うＣＰＵ１０１が「依頼情報送信手段」に相当し、第１の実施の形態のメイン処理のＳ４の処理を行うＣＰＵ１０１、第２の実施の形態のメイン処理のＳ１０４の処理を行うＣＰＵ１０１が「依頼情報受信手段」に相当する。また、第１の実施の形態の報知処理のＳ３５の処理を行うＣＰＵ１０１、第２の実施の形態の報知処理のＳ１３５，Ｓ１３６の処理を行うＣＰＵ１０１が「依頼情報送信制御手段」に相当する。また、第１の実施の形態の依頼処理（図１６）のＳ４１〜Ｓ４３の処理を行うＣＰＵ１０１、第２の実施の形態の依頼処理（図２３）のＳ１４１〜Ｓ１４３の処理を行うＣＰＵ１０１が「第２探索制御手段」に相当する。
【０１５５】
また、第２の実施の形態の依頼処理のＳ１４５〜Ｓ１５１の処理を行うＣＰＵ１０１が「第２報知制御手段」に相当する。
【０１５６】
また、第１の実施の形態の依頼処理のＳ４４，Ｓ４５，Ｓ４７，Ｓ４８の処理を行うＣＰＵ１０１が「応答情報送信手段」に相当し、メイン処理のＳ５の処理を行うＣＰＵ１０１が「応答情報受信手段」に相当し、応答処理（図１７）のＳ６５〜Ｓ７１の処理を行うＣＰＵ１０１が「第３報知制御手段」に相当する。
【０１５７】
また、第２の実施の形態の依頼中処理（図２４）のＳ１６２の処理を行うＣＰＵ１０１が「報知済情報受信手段」に相当し、Ｓ１６１，Ｓ１６７〜Ｓ１８５の処理を行うＣＰＵ１０１が「第１継続依頼情報送信手段」に相当する。また、第１の実施の形態の依頼処理のＳ４６〜Ｓ４８の処理を行うＣＰＵ１０１が「第３継続依頼情報送信手段」に相当する。また、第２の実施の形態の依頼処理のＳ１５２の処理を行うＣＰＵ１０１が「探索不能情報送信手段」に相当し、依頼中処理のＳ１６３の処理を行うＣＰＵ１０１が「探索不能情報受信手段」に相当し、Ｓ１６６〜Ｓ１８５の処理を行うＣＰＵ１０１が「第４継続依頼情報送信手段」に相当する。
【０１５８】
また、第１の実施の形態のメイン処理のＳ１３〜Ｓ１５の処理を行うＣＰＵ１０１、第２の実施の形態の依頼中処理のＳ１９１，Ｓ１９２の処理を行うＣＰＵ１０１が「第４報知制御手段」に相当する。
【０１５９】
９．変形例の説明
尚、本発明は、以上詳述した実施の形態に限定されるものではなく、種々の変更が可能である。以下に、本発明を適用する実施の形態の変形例について説明する。まず、本実施形態では所定の動作を行う装置として、遊技機の一種であるパチンコ機を例に挙げているが、所定の動作を行う装置は遊技機であるパチンコ機に限られず、パチコン機、パチスロ台等の各種の遊技機に適用可能である。
【０１６０】
また、上記第１の実施の形態及び第２の実施の形態では、被監視部材としてパチンコ機１の主基板ケース８１、本体枠１０と機枠１２、前面枠１１と本体枠１０、夫々一箇所に監視タグを設置したが、移動を監視される部材はこれに限らず、他の基板収納ボックスや、大入賞口や普通図柄始動ゲート等の入賞口に設置して、その開閉状態を監視してもよい。また、監視タグを設置する場所は各部材に一箇所である必要はなく、複数の位置に設置してもよい。さらに、遊技機がパチンコ機１でない場合にはもちろん、移動を監視される部材は上記実施の形態の部材に限らず、遊技機に備えられ、開閉が行われる開閉部材や装置を構成する構成部材であればよく、開閉部材の開閉や構成部材の所在を監視するために、１つ又は複数の監視タグを開閉部材や構成部材に設置して、その部材の移動を監視してもよい。
【０１６１】
また、上記第１の実施の形態及び第２の実施の形態では、認証タグ５１１をカード型の係員カード５１０に内蔵にしたが、認証タグ５１１を内蔵させたものはカード型のものに限らず、パチンコ機１の開閉用の鍵を付けたキーホルダーに内蔵させたり、リストバンドに内蔵させたりしてもよく、係員が勤務中に携帯可能な形状であればよい。
【０１６２】
また、上記第１の実施の形態及び第２の実施の形態では、遊技島２００に複数の探索アンテナ１１１を設置したが、設置数や位置はこれに限らずより多くの探索アンテナ１１１を設置してもよく、遊技島２００が小さい場合にはより少ない数の探索アンテナ１１１を設置してもよく、遊技場の環境に合わせて、遊技島２００の周囲に隈なく探索アンテナ１１１の電波が届くように、探索アンテナ１１１の出力及び設置数を調整すればよい。
【０１６３】
また、上記第１の実施の形態及び第２の実施の形態では、携帯電話５２０にインターネットを利用した電子メールを送信して異常発生の報知を行っているが、携帯電話５２０へ電話をかけて報知を行うようにしてもよい。この場合には、係員情報記憶エリア１０４１には電子メールアドレスでなく携帯電話番号が記憶される。また、インターネットを利用した電子メールでなく、店内ネットワーク１５０内でのローカルなメールシステムを利用してもよい。
【０１６４】
また、上記第１の実施の形態及び第２の実施の形態では、複数の認証タグ５１１を検出した場合に、最も優先順位の高い係員のみに報知を行ったが、報知する相手は１人でだけでなく、優先順位の高いほうから所定人数（例えば、３人）に報知したりしてもよい。また、優先順位は与えずに、検知したすべての係員に報知するようにしてもよい。
【０１６５】
また、上記第１の実施の形態では、他の島管理装置１００から依頼情報を受信し、周囲の認証タグ５１１を探索した結果として、ＲＦＩＤ通信を行うことができた認証タグのＩＤコードを応答情報にセットしたが（図１１参照）、自身の係員情報記憶エリア１０４１からそのＩＤコードの電子メールアドレスを読み出し、アドレスを応答情報にセットしてもよい。
【０１６６】
また、上記第１の実施の形態では、依頼情報をまず隣の島管理装置１００へ送信し、その周囲に係員がいない場合にはさらに隣の島管理装置１００、さらに隣の島管理装置１００というように、隣３つまでの島管理装置１００へ依頼を行ったが、この数はこれに限らず、これ以下であっても以上であってもよい。また、係員がいない場合には隣へ、さらにいない場合には隣へというように、順に依頼情報を取り次ぐのではなく、隣３つまでの島管理装置１００へ同時に依頼情報を送信するようにしてもよい。また、上記実施の形態では、最初に受信した応答情報に記載されているＩＤコードの係員のうち、優先順位の高い係員に報知を行っている。つまり、先に一方の島管理装置１００から応答情報を受信したら、その応答情報を使用し、その後他方の島管理装置１００からの応答情報は使用されていない。しかし、両方からの応答情報を受信してからその中のＩＤコードの中から報知先を決定するようにしてもよい。
【０１６７】
また、上記第１の実施の形態では、依頼情報に継続依頼先の情報を載せているが、継続依頼先の情報は載せずに、島管理装置１００ごとに隣の島管理装置１００（最も距離が近い島管理装置１００）の管理番号をＥＥＰＲＯＭ１０４の記憶エリアに記憶しておき、依頼情報を受け取った島管理装置１００のＥＥＰＲＯＭ１０４に記憶されている情報に基づいて依頼情報を送信するようにしてもよい。この場合には、依頼元の側と反対側の島管理装置１００へ依頼情報を送信するようにする。このような処理を行うＣＰＵ１０１が「第２継続依頼情報送信手段」に相当する。
【０１６８】
また、上記第２の実施の形態では、全ての島管理装置１００へ依頼情報を送信しているが、異常の発生した遊技島２００から所定数（例えば、３棟）の遊技島２００の島管理装置１００までのみ依頼情報を送信するようにしてもよい。例えば、３棟までとする場合には、図２４に示す依頼中処理のＳ１７２において最小の管理番号と比較しているが、ここでは「Ｎ−３」と比較し、Ｓ１８２において最大の管理番号と比較しているが、ここでは「Ｎ＋３」と比較するようにすればよい。
【０１６９】
また、異常が発生した遊技機の遊技島に設置されている島管理装置１００からは、図１８に示すような依頼情報を送信し、依頼された島管理装置１００では係員が探索されたら応答情報を依頼元の島管理装置１００へ送信するようにしてもよい。また、係員が探索されなかったら、探索不能情報を依頼元の島管理装置１００へ送信するようにしてもよい。そして、依頼元の島管理装置１００では、所定時間内に応答情報も探索不能情報も受信しなかった場合に、さらに他の島管理装置１００へ依頼情報を送信するようにしてもよい。
【産業上の利用可能性】
【０１７０】
本発明の監視システム及び遊技機は、各種の遊技機用の監視システム及びその監視システムにより監視される各種の遊技機として、好適に用いることができる。
【図面の簡単な説明】
【０１７１】
【図１】本実施の形態の遊技場監視システムを示す構成図である。
【図２】遊技場監視システムを導入した遊技場内の外観を示す説明図である。
【図３】パチンコ機１の前面枠１１及び本体枠１０を開いた状態をパチンコ機１の前面から見た斜視図である。
【図４】パチンコ機１の背面図である。
【図５】パチンコ機１の電気的構成を示すブロック図である。
【図６】島管理装置１００の電気的構成を示すブロック図である。
【図７】係員情報記憶エリア１０４１の模式図である。
【図８】第１の実施の形態の依頼先情報記憶エリア１０４４の模式図である。
【図９】島管理装置１００が他の島管理装置１００へ係員の探索を依頼する第１依頼情報１２１の模式図である。
【図１０】第２依頼情報１２２の模式図である。
【図１１】第３依頼情報１２３の模式図である。
【図１２】係員の探索の結果を依頼元の島管理装置１００へ応答する応答情報１３１の模式図である。
【図１３】報知の電子メールを表示した携帯電話５２０の画面イメージ図５２１である。
【図１４】島管理装置１００のメイン処理のフローチャートである。
【図１５】メイン処理で行われる報知処理のフローチャートである。
【図１６】メイン処理で行われる依頼処理のフローチャートである。
【図１７】メイン処理で行われる応答処理のフローチャートである。
【図１８】第２の実施の形態の依頼情報１６１の模式図である。
【図１９】報知済情報１７１の模式図である。
【図２０】探索不能情報１８１の模式図である。
【図２１】メイン処理のフローチャートである。
【図２２】メイン処理で行われる報知処理のフローチャートである。
【図２３】メイン処理で行われる依頼処理のフローチャートである。
【図２４】メイン処理で行われる依頼中処理のフローチャートである。
【符号の説明】
【０１７２】
１  パチンコ機
３０  ＲＷ
６８  監視アンテナ
６８ａ  ケースアンテナ
６８ｂ  機枠アンテナ
６８ｃ  前面枠アンテナ
８１  主基板ケース
８６  監視タグ
８６ａ  ケースタグ
８６ｂ  機枠タグ
８６ｃ  前面枠タグ
１００  島管理装置
１０１  ＣＰＵ
１０４  ＥＥＰＲＯＭ
１０６  ＬＡＮアンテナ
１０８  ＲＦ回路
１０９  アクセスポイント
１１０  通信回路
１１１  探索アンテナ
１２１  依頼情報
１２２  依頼情報
１２３  依頼情報
１３１  応答情報
１５０  店内ネットワーク
１６１  依頼情報
１７１  報知済情報
１８１  探索不能情報
２００  遊技島
３０１  認証アンテナ
３０３  ＬＡＮアンテナ
５１０  係員カード
５１１  認証タグ
５２０  携帯電話
１０４１  係員情報記憶エリア
１０４２  不在時アドレス記憶エリア
１０４３  依頼先情報記憶エリア
【図１】
2006288455.tif 000003
【図２】
2006288455.tif 000004
【図３】
2006288455.tif 000005
【図４】
2006288455.tif 000006
【図５】
2006288455.tif 000007
【図６】
2006288455.tif 000008
【図７】
2006288455.tif 000009
【図８】
2006288455.tif 000010
【図９】
2006288455.tif 000011
【図１０】
2006288455.tif 000012
【図１１】
2006288455.tif 000013
【図１２】
2006288455.tif 000014
【図１３】
2006288455.tif 000015
【図１４】
2006288455.tif 000016
【図１５】
2006288455.tif 000017
【図１６】
2006288455.tif 000018
【図１７】
2006288455.tif 000019
【図１８】
2006288455.tif 000020
【図１９】
2006288455.tif 000021
【図２０】
2006288455.tif 000022
【図２１】
2006288455.tif 000023
【図２２】
2006288455.tif 000024
【図２３】
2006288455.tif 000025
【図２４】
2006288455.tif 000026